(57)【要約】【課題】放送時に提供されていたサービスを、放送終了後でも容易に享受可能な携帯端末、録画装置および仮想的リアルタイムサービス享受システムを提供する。【解決手段】少なくとも番組を特定するための番組特定情報および番組の放送時の時刻情報を受信することで、番組の放送時に提供する番組の進行に関連して提供するサービスを利用可能とさせるサービス提供部と通信可能であり、番組を録画し、録画した番組の再生時に情報を発信する録画装置と連携して動作する。【選択図】図１
2006345495.tif 000002
【特許請求の範囲】
【請求項１】
少なくとも番組を特定するための番組特定情報および前記番組の放送時の時刻情報を受信することで、前記番組の放送時に提供する前記番組の進行に関連して提供するサービスを利用可能とさせるサービス提供部と通信可能であり、前記番組を録画し、前記録画した番組の再生時に情報を発信する録画装置と連携して動作する携帯端末。
【請求項２】
前記番組に関連する、第１および第２の情報データを受信するためのデータ受信部を備え、
前記第１の情報データは、前記録画装置が、前記番組を所定の録画データに変換して記憶する録画処理を行なう際に、取得するデータであり、
前記第１の情報データは、前記録画装置が前記録画データを再生している間、前記録画装置により前記携帯端末へ送信されるデータであり、
前記第２の情報データは、前記録画装置が取得し、前記携帯端末へ送信するデータであり、
前記第１の情報データは、前記番組の放送時の時刻を含み、
前記第２の情報データは、前記番組特定情報を含み、
受信した前記第１の情報データに含まれる前記放送時の時刻に基づいて、前記録画装置で再生されている録画データの放送時の時刻を示す時刻情報を順次更新するための時刻データ更新部と、
前記番組特定情報および更新された前記時刻情報を、前記サービス提供部へ送信するための通信部とをさらに備える、請求項１に記載の携帯端末。
【請求項３】
前記第１の情報データは、前記録画装置が、前記番組を所定の録画データに変換して記憶する録画処理を行なう際に、順次、取得するデータである、請求項２に記載の携帯端末。
【請求項４】
前記録画装置は、前記録画データのうち、前記第１の情報データを取得した録画データのポイントに対応づけて記憶し、
前記第１の情報データは、前記録画装置が前記録画データを再生している間、前記録画データに対応づけられて記憶された、各前記録画データのポイントに対応する第１の情報データを、順次、前記録画装置により前記携帯端末へ送信されるデータである、請求項２または請求項３に記載の携帯端末。
【請求項５】
前記データ受信部が前記第１の情報データを受信したときからの経過時間を算出する時間算出部をさらに備え、
前記時刻データ更新部は、前記受信した第１の情報データに含まれる前記放送時の時刻と、前記経過時間とに基づいて、前記録画装置で順次再生されている録画データの放送時の時刻を示す時刻情報を順次更新する、請求項２〜請求項４のいずれかに記載の携帯端末。
【請求項６】
前記時刻データ更新部は、前記データ受信部が前記第１の情報データを受信する毎に、受信した前記第１の情報データに含まれる前記放送時の時刻と前記経過時間とに基づいて、前記録画装置で順次再生されている録画データの放送時の時刻を示す時刻情報を順次更新する、請求項２〜請求項５のいずれかに記載の携帯端末。
【請求項７】
情報を表示するための表示部と、
前記第２の情報データに基づく情報を、前記表示部に表示させるための処理部とをさらに備える、請求項２〜請求項６のいずれかに記載の携帯端末。
【請求項８】
前記第２の情報データは、前記番組の放送日時を含む、請求項２〜請求項７のいずれかに記載の携帯端末。
【請求項９】
前記第１の情報データは、前記番組の放送属性の情報を含む、請求項２〜請求項８のいずれかに記載の携帯端末。
【請求項１０】
前記第１の情報データは、前記番組のＣＭ時刻の情報を含む、請求項２〜請求項９のいずれかに記載の携帯端末。
【請求項１１】
前記データ受信部は、無線通信機能を有するものであり、前記録画装置とのデータの授受は無線で行なう、請求項２〜請求項１０のいずれかに記載の携帯端末。
【請求項１２】
前記通信部は、インターネットなどのネットワークに対しデータの授受を行なう、請求項２〜請求項１１のいずれかに記載の携帯端末。
【請求項１３】
前記番組は、再放送の番組である、請求項１〜請求項１２のいずれかに記載の携帯端末。
【請求項１４】
受信した番組を録画し、少なくとも前記番組を特定するための番組特定情報および前記番組の放送時の時刻情報を取得し、前記録画した番組の再生時に前記番組特定情報および前記番組の放送時の時刻情報を使用して、前記番組の放送時に提供する前記番組の進行に関連して提供するサービスを利用可能とさせるサービス提供部と通信する、携帯端末。
【請求項１５】
データを記憶する記憶部と、
前記番組を所定の録画データに変換して、前記記憶部に、順次、記憶させる録画処理を行なうための画像データ処理部と、
前記画像データ処理部が前記録画処理を行なっている際に、前記番組に関連する第１の情報データを取得し、前記第１の情報データを前記記憶部に記憶させるための番組関連情報取得部と、
前記番組に関連する第２の情報データを取得するデータ取得部とを備え、
前記第１の情報データは、前記番組の放送時の時刻を含み、
前記第２の情報データは、前記番組特定情報を含み、
前記画像データ処理部は、前記録画データを再生するための再生部を含み、
前記再生部が前記録画データを再生している間、前記第１の情報データに含まれる前記放送時の時刻に基づいて、再生されている前記録画データの放送時の時刻を示す時刻情報を順次更新するための時刻データ更新部と、
前記番組特定情報および更新された前記時刻情報を、前記サービス提供部へ送信するための通信部とをさらに備える、請求項１４に記載の携帯端末。
【請求項１６】
前記第１の情報データは、前記画像データ処理部が、前記録画処理を行なう際に、順次、取得するデータである、請求項１５に記載の携帯端末。
【請求項１７】
前記番組関連情報取得部は、前記画像データ処理部が前記録画処理を行なっている際に、前記番組に関連する第１の情報データを順次取得し、前記録画データのうち、前記第１の情報データを取得した時点に対応する録画データのポイントに対応づけて、順次、取得した前記第１の情報データを前記記憶部に記憶させ、
前記再生部が前記録画データを再生している間、前記録画データに対応づけられて記憶された、各前記録画データのポイントに対応する第１の情報データを検出する第１情報データ検出部をさらに備える、請求項１５または請求項１６に記載の携帯端末。
【請求項１８】
前記第１情報データ検出部が前記第１の情報データを検出した時点からの経過時間を算出する時間算出部をさらに備え、
前記時刻データ更新部は、検出された前記第１の情報データに含まれる前記放送時の時刻と、前記経過時間とに基づいて、前記再生部で再生されている録画データの放送時の時刻を示す時刻情報を順次更新する、請求項１５〜請求項１７のいずれかに記載の携帯端末。
【請求項１９】
前記時刻データ更新部は、前記第１情報データ検出部が前記第１の情報データを検出する毎に、検出された前記第１の情報データに含まれる前記放送時の時刻と前記経過時間とに基づいて、前記再生部で再生されている録画データの放送時の時刻を示す時刻情報を順次更新する、請求項１５〜請求項１８のいずれかに記載の携帯端末。
【請求項２０】
前記番組のデータを、ネットワークから受信する受信部をさらに備える、請求項１４に記載の携帯端末。
【請求項２１】
携帯端末と連携して動作することにより、少なくとも番組を特定するための番組特定情報および前記番組の放送時の時刻情報を取得することで、前記番組の放送時に提供する前記番組の進行に関連して提供するサービスを利用可能とさせるサービス提供部と、前記携帯端末とを通信可能とさせる録画装置であって、前記番組を録画し、前記録画した番組の再生時に情報を前記携帯端末へ発信する、録画装置。
【請求項２２】
データを記憶する記憶部と、
前記番組を所定の録画データに変換して、前記記憶部に、順次、記憶させる録画処理を行なうための画像データ処理部と、
前記画像データ処理部が前記録画処理を行なっている際に、前記番組に関連する第１の情報データを取得し、前記第１の情報データを前記記憶部に記憶させるための番組関連情報取得部と、
前記番組に関連する第２の情報データを取得するデータ取得部とを備え、
前記第１の情報データは、前記番組の放送時の時刻を含み、
前記第２の情報データは、前記番組特定情報を含み、
前記画像データ処理部は、前記録画データを再生するための再生部を含み、
前記再生部が前記録画データを再生している間、記憶された第１の情報データを、前記携帯端末へ、送信するための通信部をさらに備え、
前記通信部は、さらに、前記第２の情報データを、前記携帯端末へ送信し、
前記携帯端末は、前記第１および第２の情報データを受信し、前記放送時の時刻と、前記第１の情報データを受信したときからの経過時間とに基づいて、前記再生部が順次再生している前記録画データの放送時の時刻を示す時刻情報を順次更新し、前記番組特定情報および更新した前記時刻情報を、前記サービス提供部へ送信する、請求項２１に記載の録画装置。
【請求項２３】
前記番組関連情報取得部は、前記画像データ処理部が前記録画処理を行なっている際に、前記番組に関連する第１の情報データを順次取得し、前記録画データのうち、前記第１の情報データを取得した時点に対応する録画データのポイントに対応づけて、順次、取得した前記第１の情報データを前記記憶部に記憶させ、
前記通信部は、前記再生部が前記録画データを再生している間、前記録画データに対応づけられて記憶された、各前記録画データのポイントに対応する第１の情報データを、順次、前記携帯端末へ、送信する、請求項２２に記載の録画装置。
【請求項２４】
前記再生部により再生されている前記録画データの再生位置を変更するための再生位置変更部をさらに備え、
前記通信部は、前記再生位置変更部により前記録画データの再生位置が変更された場合、前記変更された前記録画データの再生位置に対応する前記第１の情報データを、携帯端末へ送信する、請求項２２または請求項２３に記載の録画装置。
【請求項２５】
前記通信部は、無線通信機能を有するものであり、前記携帯端末とのデータの授受は無線で行なう、請求項２２〜請求項２４のいずれかに記載の録画装置。
【請求項２６】
前記番組は、再放送の番組である、請求項２１〜請求項２５のいずれかに記載の録画装置。
【請求項２７】
請求項１〜請求項１３のいずれかに記載の携帯端末と、請求項２１〜請求項２６のいずれかに記載の録画装置と、少なくとも番組を特定するための番組特定情報および前記番組の放送時の時刻情報を受信することで、前記番組の放送時に提供する前記番組の進行に関連して提供するサービスを、前記携帯端末に利用可能とさせるサービス提供部とから構成される、仮想的リアルタイムサービス享受システム。
【発明の詳細な説明】
【技術分野】
【０００１】
本発明は、携帯端末、録画装置および仮想的リアルタイムサービス享受システムに関し、特に、携帯端末と録画装置とが連携して動作する携帯端末、録画装置および仮想的リアルタイムサービス享受システムに関する。
【背景技術】
【０００２】
インターネットやホームネットワーク、携帯電話網等の発達とそれらの相互接続環境が発展している昨今、相互接続のキーデバイスとして携帯電話の利用が考えられる。携帯電話の進歩は目を見張るものがあり、カメラ・ＧＰＳ（Global Positioning System）・ナビゲーションなど、通話機器に止まらず様々な事由に活用され、常に身近に持ち歩くことが日常的になっている。そのため、携帯電話は、ホームネットワーク機器との接続とを考慮に入れることで更なる進歩が想像される。
【０００３】
ホームネットワーク機器の一つとして、大容量記憶装置が搭載された番組録画装置、たとえば、ハードディスクレコーダーなどの装置がある。ハードディスクレコーダーは、従来の磁気テープを利用したビデオレコーダに比べ、膨大な量のオーディオ、ビデオ作品等のコンテンツデータを蓄積することが可能である。また、ハードディスクレコーダーは、大容量記憶装置の搭載によりサーバとしての役割も可能となる。
【０００４】
上記のような経緯から放送網とインターネット網とが連携する状況が想定される。放送と携帯電話とのサービスの連携として、実際に携帯電話にラジオチューナーを搭載し、放送受信時に放送局への接続や、放送中の楽曲の携帯電話用着メロ（登録商標）検索サービスへの接続サービスなどが実際に提供されており、テレビを用いたサービスの連携も存在する。
【０００５】
たとえば、特開２００４−１９３６８１号公報（特許文献１）には、携帯電話を利用して、放送サービスと連携する技術が開示されている。また、特開２００４−２８９７７６号公報（特許文献２）には、利用者から入力された時刻情報に基づいて、放送内容に関連したサービスを享受する技術が開示されている。
【特許文献１】特開２００４−１９３６８１号公報
【特許文献２】特開２００４−２８９７７６号公報
【発明の開示】
【発明が解決しようとする課題】
【０００６】
一般に、番組の放送と連動して、リアルタイムに提供されるようなサービス（以下においては、リアルタイムサービスとも称する）は、番組の放送時にしかユーザはサービスの恩恵を受けることができない。すなわち、録画装置で番組を録画した録画データを再生して視聴する場合、番組は既に終了しているので、リアルタイムサービスを享受することは困難であった。
【０００７】
本発明は、上述の問題点を解決するためになされたものであって、その目的は、放送時に提供されていたサービスを、放送終了後でも容易に享受可能な携帯端末を提供することである。
【０００８】
本発明の他の目的は、放送時に提供されていたサービスを、放送終了後でも容易に享受可能な録画装置を提供することである。
【０００９】
本発明のさらに他の目的は、放送時に提供されていたサービスを、放送終了後でも容易に享受可能な仮想的リアルタイムサービス享受システムを提供することである。
【課題を解決するための手段】
【００１０】
上述の課題を解決するために、この発明のある局面に従うと、携帯端末は、少なくとも番組を特定するための番組特定情報および番組の放送時の時刻情報を受信することで、番組の放送時に提供する番組の進行に関連して提供するサービスを利用可能とさせるサービス提供部と通信可能であり、番組を録画し、録画した番組の再生時に情報を発信する録画装置と連携して動作する。
【００１１】
好ましくは、番組に関連する、第１および第２の情報データを受信するためのデータ受信部を備え、第１の情報データは、録画装置が、番組を所定の録画データに変換して記憶する録画処理を行なう際に、取得するデータであり、第１の情報データは、録画装置が録画データを再生している間、録画装置により携帯端末へ送信されるデータであり、第２の情報データは、録画装置が取得し、携帯端末へ送信するデータであり、第１の情報データは、番組の放送時の時刻を含み、第２の情報データは、番組特定情報を含み、受信した第１の情報データに含まれる放送時の時刻に基づいて、録画装置で再生されている録画データの放送時の時刻を示す時刻情報を順次更新するための時刻データ更新部と、番組特定情報および更新された時刻情報を、サービス提供部へ送信するための通信部とをさらに備える。
【００１２】
好ましくは、第１の情報データは、録画装置が、番組を所定の録画データに変換して記憶する録画処理を行なう際に、順次、取得するデータである。
【００１３】
好ましくは、録画装置は、録画データのうち、第１の情報データを取得した録画データのポイントに対応づけて記憶し、第１の情報データは、録画装置が録画データを再生している間、録画データに対応づけられて記憶された、各録画データのポイントに対応する第１の情報データを、順次、録画装置により携帯端末へ送信されるデータである。
【００１４】
好ましくは、データ受信部が第１の情報データを受信したときからの経過時間を算出する時間算出部をさらに備え、時刻データ更新部は、受信した第１の情報データに含まれる放送時の時刻と、経過時間とに基づいて、録画装置で順次再生されている録画データの放送時の時刻を示す時刻情報を順次更新する。
【００１５】
好ましくは、時刻データ更新部は、データ受信部が第１の情報データを受信する毎に、受信した第１の情報データに含まれる放送時の時刻と経過時間とに基づいて、録画装置で順次再生されている録画データの放送時の時刻を示す時刻情報を順次更新する。
【００１６】
好ましくは、情報を表示するための表示部と、第２の情報データに基づく情報を、表示部に表示させるための処理部とをさらに備える。
【００１７】
好ましくは、第２の情報データは、番組の放送日時を含む。
好ましくは、第１の情報データは、番組の放送属性の情報を含む。
【００１８】
好ましくは、第１の情報データは、番組のＣＭ時刻の情報を含む。
好ましくは、データ受信部は、無線通信機能を有するものであり、録画装置とのデータの授受は無線で行なう。
【００１９】
好ましくは、通信部は、インターネットなどのネットワークに対しデータの授受を行なう。
【００２０】
好ましくは、番組は、再放送の番組である。
この発明の他の局面に従うと、受信した番組を録画し、少なくとも番組を特定するための番組特定情報および番組の放送時の時刻情報を取得し、録画した番組の再生時に番組特定情報および番組の放送時の時刻情報を使用して、番組の放送時に提供する番組の進行に関連して提供するサービスを利用可能とさせるサービス提供部と通信する。
【００２１】
好ましくは、データを記憶する記憶部と、番組を所定の録画データに変換して、記憶部に、順次、記憶させる録画処理を行なうための画像データ処理部と、画像データ処理部が録画処理を行なっている際に、番組に関連する第１の情報データを取得し、第１の情報データを記憶部に記憶させるための番組関連情報取得部と、番組に関連する第２の情報データを取得するデータ取得部とを備え、第１の情報データは、番組の放送時の時刻を含み、第２の情報データは、番組特定情報を含み、画像データ処理部は、録画データを再生するための再生部を含み、再生部が録画データを再生している間、第１の情報データに含まれる放送時の時刻に基づいて、再生されている録画データの放送時の時刻を示す時刻情報を順次更新するための時刻データ更新部と、番組特定情報および更新された時刻情報を、サービス提供部へ送信するための通信部とをさらに備える。
【００２２】
好ましくは、第１の情報データは、画像データ処理部が、録画処理を行なう際に、順次、取得するデータである。
【００２３】
好ましくは、番組関連情報取得部は、画像データ処理部が録画処理を行なっている際に、番組に関連する第１の情報データを順次取得し、録画データのうち、第１の情報データを取得した時点に対応する録画データのポイントに対応づけて、順次、取得した第１の情報データを記憶部に記憶させ、再生部が録画データを再生している間、録画データに対応づけられて記憶された、各録画データのポイントに対応する第１の情報データを検出する第１情報データ検出部をさらに備える。
【００２４】
好ましくは、第１情報データ検出部が第１の情報データを検出した時点からの経過時間を算出する時間算出部をさらに備え、時刻データ更新部は、検出された第１の情報データに含まれる放送時の時刻と、経過時間とに基づいて、再生部で再生されている録画データの放送時の時刻を示す時刻情報を順次更新する。
【００２５】
好ましくは、時刻データ更新部は、第１情報データ検出部が第１の情報データを検出する毎に、検出された第１の情報データに含まれる放送時の時刻と経過時間とに基づいて、再生部で再生されている録画データの放送時の時刻を示す時刻情報を順次更新する。
【００２６】
好ましくは、番組のデータを、ネットワークから受信する受信部をさらに備える。
この発明のさらに他の局面に従うと、携帯端末と連携して動作することにより、少なくとも番組を特定するための番組特定情報および番組の放送時の時刻情報を取得することで、番組の放送時に提供する番組の進行に関連して提供するサービスを利用可能とさせるサービス提供部と、携帯端末とを通信可能とさせる録画装置は、番組を録画し、録画した番組の再生時に情報を携帯端末へ発信する。
【００２７】
好ましくは、データを記憶する記憶部と、番組を所定の録画データに変換して、記憶部に、順次、記憶させる録画処理を行なうための画像データ処理部と、画像データ処理部が録画処理を行なっている際に、番組に関連する第１の情報データを取得し、第１の情報データを記憶部に記憶させるための番組関連情報取得部と、番組に関連する第２の情報データを取得するデータ取得部とを備え、第１の情報データは、番組の放送時の時刻を含み、
第２の情報データは、番組特定情報を含み、画像データ処理部は、録画データを再生するための再生部を含み、再生部が録画データを再生している間、記憶された第１の情報データを、携帯端末へ、送信するための通信部をさらに備え、通信部は、さらに、第２の情報データを、携帯端末へ送信し、携帯端末は、第１および第２の情報データを受信し、放送時の時刻と、第１の情報データを受信したときからの経過時間とに基づいて、再生部が順次再生している録画データの放送時の時刻を示す時刻情報を順次更新し、番組特定情報および更新した時刻情報を、サービス提供部へ送信する。
【００２８】
好ましくは、番組関連情報取得部は、画像データ処理部が録画処理を行なっている際に、番組に関連する第１の情報データを順次取得し、録画データのうち、第１の情報データを取得した録画データのポイントに対応づけて、順次、第１の情報データを記憶部に記憶させ、通信部は、再生部が録画データを再生している間、録画データに対応づけられて記憶された、各録画データのポイントに対応する第１の情報データを、順次、携帯端末へ、送信する。
【００２９】
好ましくは、再生部により再生されている録画データの再生位置を変更するための再生位置変更部をさらに備え、通信部は、再生位置変更部により録画データの再生位置が変更された場合、変更された録画データの再生位置に対応する第１の情報データを、携帯端末へ送信する。
【００３０】
好ましくは、通信部は、無線通信機能を有するものであり、携帯端末とのデータの授受は無線で行なう。
【００３１】
好ましくは、番組は、再放送の番組である。
この発明の他の局面に従うと、仮想的リアルタイムサービス享受システムは、携帯端末と、録画装置と、少なくとも番組を特定するための番組特定情報および番組の放送時の時刻情報を受信することで、番組の放送時に提供する番組の進行に関連して提供するサービスを、携帯端末に利用可能とさせるサービス提供部とから構成される。
【発明の効果】
【００３２】
本発明に係る携帯端末は、少なくとも番組を特定するための番組特定情報および番組の放送時の時刻情報を受信することで、番組の放送時に提供する番組の進行に関連して提供するサービスを利用可能とさせるサービス提供部と通信可能であり、番組を録画し、録画した番組の再生時に情報を発信する録画装置と連携して動作する。
【００３３】
したがって、番組の放送終了時でも、番組の進行に関連して提供するサービスを容易に享受できる。すなわち、放送時に提供されていたサービスを、放送終了後でも容易に享受できるという効果を奏する。
【００３４】
本発明に係る携帯端末は、受信した番組を録画し、少なくとも番組を特定するための番組特定情報および番組の放送時の時刻情報を取得し、録画した番組の再生時に番組特定情報および番組の放送時の時刻情報を使用して、番組の放送時に提供する番組の進行に関連して提供するサービスを利用可能とさせるサービス提供部と通信する。
【００３５】
したがって、番組の放送終了時でも、番組の進行に関連して提供するサービスを容易に享受できる。すなわち、放送時に提供されていたサービスを、放送終了後でも容易に享受できるという効果を奏する。
【００３６】
本発明に係る録画装置は、携帯端末と連携して動作することにより、少なくとも番組を特定するための番組特定情報および番組の放送時の時刻情報を取得することで、番組の放送時に提供する番組の進行に関連して提供するサービスを利用可能とさせるサービス提供部と、携帯端末とを通信可能とさせる録画装置であって、番組を録画し、録画した番組の再生時に情報を携帯端末へ発信する。
【００３７】
したがって、番組の放送終了時でも、番組の進行に関連して提供するサービスを容易に享受できる。すなわち、放送時に提供されていたサービスを、放送終了後でも容易に享受できるという効果を奏する。
【００３８】
本発明に係る仮想的リアルタイムサービス享受システムは、携帯端末と、録画装置と、番組特定情報および番組の放送時の時刻情報を受信することで、番組の放送時に提供する番組の進行に関連して提供するサービスを、携帯端末に利用可能とさせるサービス提供部とから構成される。
【００３９】
携帯端末は、番組を録画する録画装置と連携して動作する。録画装置は、携帯端末と連携して動作することにより、少なくとも番組を特定するための番組特定情報および番組の放送時の時刻情報を取得することで、番組の放送時に提供する番組の進行に関連して提供するサービスを利用可能とさせるサービス提供部と、携帯端末とを通信可能とさせる録画装置であって、番組を録画し、録画した番組の再生時に情報を携帯端末へ発信する。
【００４０】
したがって、番組の放送終了時でも、番組の進行に関連して提供するサービスを容易に享受できる。すなわち、放送時に提供されていたサービスを、放送終了後でも容易に享受できるという効果を奏する。
【発明を実施するための最良の形態】
【００４１】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００４２】
＜第１の実施の形態＞
図１は、本実施の形態における仮想的リアルタイムサービス享受システム１００００を示す。
【００４３】
図１を参照して、仮想的リアルタイムサービス享受システム１００００は、ホームネットワークシステム２０００と、移動体通信網３００と、インターネット網３１０と、コンテンツサービス提供網４００とから構成される。移動体通信網３００およびインターネット網３１０は、有線または無線で接続されている。インターネット網３１０およびコンテンツサービス提供網４００は、有線または無線で接続されている。
【００４４】
コンテンツサービス提供網４００は、コンテンツ提供会社としての、テレビ局４１０と、番組提供会社４２０と、音楽提供会社４３０とを含む。
【００４５】
テレビ局４１０は、コンテンツとしての放送番組データおよび番組公式情報データ４１２、ならびに、電子番組テーブルデータ（ＥＰＧ：Electric Program Guide）等をインターネット網３１０または電波で提供する。
【００４６】
番組提供会社４２０は、番組提供情報データ４２２をインターネット網３１０を介して提供する。音楽提供会社４３０は、音楽データ４３２をインターネット網３１０を介して提供する。
【００４７】
ホームネットワークシステム２０００は、録画装置１０００と、表示部１００と、アンテナ１１０と、携帯端末２００とを備える。
【００４８】
録画装置１０００は、たとえば、ＨＤＤ／ＤＶＤレコーダー、放送享受可能なデスクトップパソコン、ノートパソコンのいずれであってもよい。本実施の形態では、一例として、録画装置１０００は、ＨＤＤ／ＤＶＤレコーダーであるとする。録画装置１０００は、詳細は後述するが大容量のデータを記憶可能な記憶部を備える。また、録画装置１０００は、詳細は後述するが、時刻を管理する時刻管理部を内蔵している。
【００４９】
アンテナ１１０は、屋外に設置されている。なお、アンテナ１１０は、屋内に設置されていてもよい。
【００５０】
録画装置１０００は、アンテナ１１０と接続されており、アンテナ１１０により、テレビ局４１０から送信された放送番組データを受信し、当該放送番組データに、時刻管理部により得られた時刻データを対応付けて、記憶部に記録する機能を有する。
【００５１】
具体的には、録画装置１０００は、放送番組データの記録（録画）時、放送番組データの記録のみならず放送開始・終了時の時刻のデータ、ＣＭ（Commercial Message）開始・終了時の時刻のデータ、放送開始から放送終了までの一定間隔毎の時刻のデータ、放送時属性データ等を記憶部に記録する。
【００５２】
以下においては、録画装置１０００に記録された放送番組データを録画データとも称する。また、時刻データは当該録画データに対応付けられて記憶部に記憶される。当該時刻データは、具体的には実際に放送番組データに基づく本放送が行なわれていた時刻を示すデータである。
【００５３】
以下においては、時刻データが対応付けられた録画データを時刻データ付録画データとも称する。また、記録された時刻データに対応する録画データがどういう情報かを示すデータを放送属性データとも称する。なお、時刻データは、録画データとは、別に記憶されるのではなく、録画データに含まれるように記憶されてもよい。
【００５４】
表示部１００は、ユーザ１０に各種情報を、文字や画像等で表示する機能を有する。表示部１００は、液晶ディスプレイ（ＬＣＤ（Liquid Crystal Display））、ＣＲＴ（Cathode Ray Tube）、ＦＥＤ（Field Emission Display）、ＰＤＰ（Plasma Display Panel）、有機ＥＬディスプレイ（Organic Electro luminescence Display）、ドットマトリクス等その他の画像表示方式の表示機器のいずれであってもよい。
【００５５】
表示部１００は、録画装置１０００と接続されており、録画装置１０００に記録されたデータに基づく画像を表示する機能を有する。また、表示部１００は、アンテナ１１０と接続されており、アンテナ１１０により、テレビ局４１０から送信された放送番組データまたは電子番組テーブルデータを受信する機能を有する。また、表示部１００は、当該受信したデータに基づく画像を表示する機能を有する。
【００５６】
本実施の形態では、ユーザ１０が、携帯端末２００を用い、移動体通信網３００およびインターネット網３１０を介して、番組公式情報データ４１２、番組提供情報データ４２２、音楽データ４３２等を自由に取得可能なサービスの契約をしている場面を想定している。
【００５７】
携帯端末２００は、たとえば、赤外線技術またはＢｌｕｅｔｏｏｔｈ技術等を利用した無線技術でデータの授受を行なう無線通信機能を有する。携帯端末２００は、無線通信機能により、録画装置１０００または表示部１００と、無線通信が可能なリモートコントローラとして動作する。なお、録画装置１０００は、インターネット網３１０と接続可能な機能も有している。この場合、携帯端末２００は、前述の無線通信技術を使用しなくても、インターネット網３１０を介して、録画装置１０００と通信が可能である。
【００５８】
携帯端末２００は、たとえば、携帯電話、無線アクセス装置付きの個人情報端末（ＰＤＡ（Personal Digital Assistant））、デスクトップパソコンおよびノートパソコン等のように、ネットワークに接続可能な機器であればいずれであってもよい。本実施の形態では、携帯端末２００を、一例として、携帯電話として説明する。ユーザ１０は、詳細は後述するが、ユーザ１０の携帯端末２００の操作により、録画装置１０００が記録している録画データを、表示部１００で閲覧することができる。
【００５９】
移動体通信網３００は、携帯端末２００と無線通信可能な基地局３０２と、交換機３０４と、ゲートウエイ３０６とを備える。交換機３０４は、基地局３０２およびゲートウエイ３０６との間に接続されている。ゲートウエイ３０６は、インターネット網３１０と、有線または無線で接続されている。
【００６０】
携帯端末２００は、詳細は後述するが、ユーザ１０の操作により、移動体通信網３００、インターネット網３１０を介して、番組公式情報データ４１２、番組提供情報データ４２２、音楽データ４３２を取得することができる。
【００６１】
たとえば、ユーザ１０が、音楽提供会社４３０から音楽データ４３２を取得したい場合、ユーザ１０の携帯端末２００の操作に基づく要求指示が、移動体通信網３００、インターネット網３１０を介して、音楽提供会社４３０が運営するサービスサイトに送信される。音楽提供会社４３０が運営するサービスサイトは、受信した要求指示に基づいた音楽データ４３２（たとえば、携帯端末２００において、データの着信を報知するための着信時再生音楽データ等）を、インターネット網３１０、移動体通信網３００を介して、携帯端末２００へ送信する。以下においては、携帯端末２００上で、インターネット網３１０にアクセスできるサービスを携帯端末インターネットサービスとも称する。
【００６２】
なお、本実施の形態では、携帯端末２００が、直接、インターネット網３１０に接続して、番組公式情報データ４１２、番組提供情報データ４２２、音楽データ４３２等を取得する例を記載しているが、これに限定されることはない。たとえば、録画装置１０００が、インターネット網３１０に接続して、番組公式情報データ４１２、番組提供情報データ４２２、音楽データ４３２等を取得してもよい。この場合、携帯端末２００は、録画装置１０００から、番組公式情報データ４１２、番組提供情報データ４２２、音楽データ４３２等のデータを取得する。
【００６３】
次に、ユーザ１０が、録画装置１０００に記録されているコンテンツを視聴する際、携帯端末２００で当該コンテンツの放送時の時刻を取得する処理について簡単に説明する。
【００６４】
まず、ユーザ１０は、録画装置１０００に記録されているコンテンツを視聴しているときに、携帯端末２００に設けられた、当該コンテンツに対応する時刻データを要求するための時刻要求ボタンを押下する。これにより、携帯端末２００から録画装置１０００へ、時刻要求指示が、無線技術により送信される。
【００６５】
録画装置１０００は、受信した時刻要求指示に基づいて、記憶部に記憶された放送番組データを再生しながら、放送番組データに対応付けて記録された時刻データ（放送開始・終了時の時刻のデータ、ＣＭ開始・終了時の時刻のデータ、放送時属性データ）を、携帯端末２００へ、前述の無線技術を利用して送信する。
【００６６】
携帯端末２００は受信した時刻データから再生中の放送番組の放送時の時刻を取得し、再生視聴の環境下で本放送時の時刻を認識しながら視聴が可能となる。なお、携帯端末２００は、受信した時刻データに基づいて、再生中の放送番組が実際に放送が行なわれた時刻を算出する。以下においては、当該算出された時刻を放送時時刻とも称する。
【００６７】
携帯端末２００は、再生中の放送番組の本放送時の時刻を認識することで、放送される番組と、携帯端末インターネットサービスとがリアルタイムに連携するサービス（以下においては、リアルタイム連携サービスとも称する）をいつでも利用可能となる。
【００６８】
すなわち、録画装置１０００で、録画した放送番組を再生視聴するという環境下でも、携帯端末２００は、放送時時刻を常時認識することができるため、本放送が放送されているときに、リアルタイム連携サービスを享受したのと同様な効果を得ることが可能になる。
【００６９】
具体的なサービス例として以下のようなサービスを想定する。リアルタイムで放送中の番組のＣＭ時に、ユーザ１０が、携帯端末２００を利用して、携帯端末２００からコンテンツサービス提供網４００へ接続する。これにより、コンテンツサービス提供網４００側は、現在放送されている番組のＣＭの提供会社やＣＭ種別を判断することができる。
【００７０】
たとえば、ユーザ１０は、携帯端末２００を利用して、音楽データ４３２を提供している音楽提供会社４３０が運営するサービスサイトへ接続する。そして、現在放送中のＣＭテーマ曲に対応した携帯端末の着信時の音楽データの検索を実行するという、ＣＭの音楽検索サービスを考える。
【００７１】
上記のような検索サービスの場合、録画装置１０００で録画した放送番組を視聴しているときに、携帯端末２００のように時刻データを取得する機能を有さない携帯端末２００を利用して、音楽提供会社４３０が運営するサービスサイトへ接続し、ＣＭの音楽検索サービスを利用しようとしても、利用できない。なぜなら、録画装置１０００で録画した放送番組を視聴しているときは、当該放送番組は、リアルタイムで放送されているものではないため、音楽提供会社４３０が運営するサービスサイト側で、何の番組のどのＣＭかという判断が不可能であるからである。
【００７２】
しかし、本実施の形態においては、携帯端末２００が放送時時刻を認識しているため、ＣＭの音楽検索サービスを受けるのに、必要な情報と、放送時時刻を音楽提供会社４３０が運営するサービスサイトへ送信することができる。これにより、音楽提供会社４３０が運営するサービスサイトは、どの番組の何時何分にオンエアーされたＣＭか判断することができ、該当するＣＭに対応する、着信時の音楽データの検索を行なうことができる。
【００７３】
図２は、録画装置１０００の内部構成を示したブロック図である。なお、図２には、説明のために、後述する記録媒体１７５０も示している。
【００７４】
図２を参照して、録画装置１０００は、画像データ処理部１１００と、ネットワーク部１２００と、記憶部１３００と、録画データ処理部１４００と、再生時処理部１５００と、バス１６００と、Ｉ／Ｏコントローラ１６１０と、時刻管理部１６３０と、時刻報知部１６５０と、無線通信部１６２０と、記録媒体アクセス部１７００とを備える。
【００７５】
画像データ処理部１１００、ネットワーク部１２００、記憶部１３００、録画データ処理部１４００、再生時処理部１５００、時刻管理部１６３０、時刻報知部１６５０、Ｉ／Ｏコントローラ１６１０および記録媒体アクセス部１７００は、バス１６００に接続されている。
【００７６】
記憶部１３００は、大容量のデータを記憶可能なハードディスクである。なお、記憶部１３００は、ハードディスクに限定されることなく、電源を供給されなくてもデータを保持可能な媒体（たとえば、フラッシュメモリ）であればよい。
【００７７】
すなわち、記憶部１３００は、記憶の消去・書き込みを何度でも行えるＥＰＲＯＭ（Erasable Programmable Read Only Memory）、電気的に内容を書き換えることができるＥＥＰＲＯＭ（Electronically Erasable and Programmable Read Only Memory）、紫外線を使って記憶内容の消去・再書き込みを何度でも行えるＵＶ−ＥＰＲＯＭ（Ultra-Violet Erasable Programmable Read Only Memory）、その他、不揮発的にデータを記憶保持可能な構成を有する回路のいずれであってもよい。
【００７８】
記憶部１３００は、録画データ処理部１４００および再生時処理部１５００に後述する処理を行なわせるための制御プログラム、その他各種プログラムおよびデータ等が記憶されている。
【００７９】
録画データ処理部１４００は、記憶部１３００にアクセスする。録画データ処理部１４００は、記憶部１３００に記憶された制御プログラムに従って、録画装置１０００の内部の各機器に対する各種処理や、演算処理等を行なう機能を有する。録画データ処理部１４００は、マイクロプロセッサ（Microprocessor）、プログラミングすることができるＬＳＩ（Large Scale Integration）であるＦＰＧＡ（Field Programmable Gate Array）、特定の用途のために設計、製造される集積回路であるＡＳＩＣ（Application Specific Integrated Circuit）、その他の演算機能を有する回路のいずれであってもよい。
【００８０】
再生時処理部１５００は、録画データ処理部１４００と同様な構成を有する。また、再生時処理部１５００も、記憶部１３００に記憶された制御プログラムに従って、録画装置１０００の内部の各機器に対する各種処理や、演算処理等を行なう機能を有する。なお、録画データ処理部１４００および再生時処理部１５００の各々が行なう処理は、１つの演算プロセッサが行なってもよい。
【００８１】
時刻管理部１６３０は、時刻を管理する機能を有する。また、時刻管理部１６３０は、バス１６００に接続されている各部のうち、時刻データの取得要求があったところへ、現在の時刻を示す時刻データを送信する。
【００８２】
時刻報知部１６５０は、時刻を管理する機能を有する。時刻報知部１６５０は、時刻データの取得要求に関わらず、画像データ処理部１１００、録画データ処理部１４００および再生時処理部１５００へ、時刻データが変更される毎（たとえば、１秒毎）に、時刻データを送信する。
【００８３】
たとえば、予約録画等を行なうときは、画像データ処理部１１００が、時刻報知部１６５０から受信した時刻データに基づいて、録画を開始する時刻になると、録画処理を開始する。
【００８４】
画像データ処理部１１００は、アンテナ線接続端子１１１０と、テレビチューナー１１２０と、外部入力端子１１１２と、ＭＰＥＧ(Moving Picture Experts Group)エンコーダ１１３０Ｅと、バスＩ／Ｆ１１４０とを含む。
【００８５】
アンテナ線接続端子１１１０には、アンテナ１１０に接続されたアンテナ線が接続される。テレビチューナー１１２０は、アンテナ線接続端子１１１０と接続される。テレビチューナー１１２０は、アンテナ１１０により受信した放送番組データを受信する機能を有する。
【００８６】
以下においては、放送番組データは、デジタル放送の番組のデータであるとする。また、放送番組データは、ＣＭの開始を示すデータおよびＣＭの終了を示すデータを含むものとする。以下においては、ＣＭの開始を示すデータをＣＭ開始データとも称する。また、ＣＭの終了を示すデータをＣＭ終了データとも称する。なお、放送番組データは、ＣＭ開始データ、ＣＭ終了データを含まないデータであってもよい。
【００８７】
また、記憶部１３００には、ＣＭの開始を示すためのＣＭ開始フラグと、ＣＭの終了を示すためのＣＭ終了フラグとが記憶されているとする。初期状態では、ＣＭ開始フラグおよびＣＭ終了フラグは、オフに設定されている。
【００８８】
外部入力端子１１１２には、表示部１００（映像再生装置（たとえば、テレビ）等）が接続される。外部入力端子１１１２は、接続された機器からの映像信号を入力する。
【００８９】
ＭＰＥＧエンコーダ１１３０Ｅは、動画像を高能率で圧縮する符号化方式であるＭＰＥＧを利用して、入力された映像信号をエンコードする。なお、ＭＰＥＧは、ＭＰＥＧ１、ＭＰＥＧ２、ＭＰＥＧ４等のいずれの符号化方式であってもよい。
【００９０】
テレビチューナー１１２０は、受信した放送番組データに基づいて、映像信号に変換して、ＭＰＥＧエンコーダ１１３０Ｅへ出力する。また、テレビチューナー１１２０は、受信した放送番組データに基づいて、ＣＭ開始データ、ＣＭ終了データを取得し、ＭＰＥＧエンコーダ１１３０Ｅへ出力する。外部入力端子１１１２は、入力された映像信号を、ＭＰＥＧエンコーダ１１３０Ｅへ出力する。
【００９１】
ＭＰＥＧエンコーダ１１３０Ｅは、テレビチューナー１１２０または外部入力端子１１１２のいずれかから入力された映像信号をＭＰＥＧでエンコードする。以下においては、ＭＰＥＧエンコーダ１１３０Ｅによりエンコードされた映像信号をエンコードデータ（録画データ）とも称する。
【００９２】
エンコードデータは、バスＩ／Ｆ１１４０、バス１６００を介して、記憶部１３００に記憶される。以下においては、画像データ処理部１１００が、受信した放送番組データをエンコードして、記録部１３００に記録させる処理を録画処理とも称する。
【００９３】
なお、ＭＰＥＧエンコーダ１１３０Ｅは、テレビチューナー１１２０から、ＣＭ開始データ、ＣＭ終了データを受信した場合は、ＣＭ開始データ、ＣＭ終了データを、バスＩ／Ｆ１１４０、バス１６００を介して、録画データ処理部１４００へ送る。したがって、録画データ処理部１４００は、録画処理中に、ＣＭ開始データおよびＣＭ終了データを検知することができる。
【００９４】
画像データ処理部１１００は、ＭＰＥＧデコーダ１１３０Ｄと、外部出力端子１１１３とをさらに含む。
【００９５】
ＭＰＥＧデコーダ１１３０Ｄは、ＭＰＥＧエンコーダ１１３０Ｅがエンコードしたデータをデコードする機能を有する。ＭＰＥＧデコーダ１１３０Ｄは、バスＩ／Ｆ１１４０と接続される。
【００９６】
ＭＰＥＧデコーダ１１３０Ｄは、記憶部１３００に記憶されたエンコードデータ（録画データ）を、バス１６００、バスＩ／Ｆ１１４０を介して読み出し、当該エンコードデータをデコードして、映像信号を生成する。当該映像信号は、外部出力端子１１１３に送信される。
【００９７】
外部出力端子１１１３には、表示部１００（映像再生装置（たとえば、テレビ）等）が接続される。外部出力端子１１１３は、ＭＰＥＧデコーダ１１３０Ｄから受信した映像信号を、接続された表示部１００に送信する。表示部１００は、受信した映像信号に基づいた映像を表示する。
【００９８】
ネットワーク部１２００は、ネットワークコネクタ１２１０と、ネットワークコントローラ１２２０とを含む。
【００９９】
ネットワークコネクタ１２１０は、ＬＡＮケーブル等のネットワークケーブルを接続可能なコネクタである。ネットワークコネクタ１２１０は、ネットワークケーブルを介して、インターネット網３１０と接続される。
【０１００】
ネットワークコネクタ１２１０は、インターネット網３１０とデータの授受を制御する機能を有する。したがって、録画装置１０００は、ネットワーク部１２００の動作により、インターネット網３１０とのデータの授受が可能となる。
【０１０１】
録画データ処理部１４００は、受信した放送番組データに基づいて、放送番組データに関連する情報データ（時刻データ等）を取得・処理する。また、録画データ処理部１４００は、受信した放送番組データに対応するエンコードデータ（録画データ）に対応づけて、記憶部１３００に情報データ（時刻データ等）を記憶させる。
【０１０２】
Ｉ／Ｏコントローラ１６１０には、無線通信部１６２０が接続される。
無線通信部１６２０は、赤外線技術またはＢｌｕｅｔｏｏｔｈ技術等を利用した無線技術を利用して、携帯端末２００とデータの授受を行なう無線通信機能を有する。
【０１０３】
再生時処理部１５００は、ＭＰＥＧデコーダ１１３０Ｄが、エンコードデータ（録画データ）をデコードする際に、当該エンコードデータ（録画データ）に対応付けられて記憶部１３００に記憶されている情報データ（時刻データ等）を逐次読み出し、Ｉ／Ｏコントローラ１６１０、無線通信部１６２０を利用して、携帯端末２００へ送信する。
【０１０４】
記録媒体アクセス部１７００は、データの読み出しおよび書込みが可能な記録媒体１７５０にアクセスする機能を有する。
【０１０５】
記録媒体１７５０は、ＤＶＤ−Ｒ（Digital Versatile Disk Recordable）、ＤＶＤ−ＲＡＭ（Digital Versatile Disk Random Access Memory）、ＤＶＤ＋ＲＷ（Digital Versatile Disk Re-Writable）、ＤＶＤ−ＲＷ、ＣＤ−Ｒ（Compact Disk Recordable）、ＭＯ（Magneto Optical Disk）、フロッピー（登録商標）ディスク、ＣＦ(Compact Flash) カード、ＳＭ（Smart Media（登録商標））、ＭＭＣ（Multi Media Card）、ＳＤ（Secure Digital）メモリーカード、メモリースティック（登録商標）、ｘＤピクチャーカードおよびＵＳＢメモリ、磁気テープ、その他不揮発性メモリのいずれであってもよい。
【０１０６】
本実施の形態では、録画データ、情報データを、記憶部１３００の代わりに、記録媒体アクセス部１７００を利用して、記録媒体１７５０に記録させてもよい。
【０１０７】
図３は、携帯端末２００の外観図である。
図３を参照して、携帯端末２００は、アンテナ２２０と、無線通信部２１０と、表示部２３０と、選択ボタン２０２と、決定ボタン２０３と、録画装置連携ボタン２０４とを備える。
【０１０８】
無線通信部２１０は、赤外線技術またはＢｌｕｅｔｏｏｔｈ技術等を利用した無線技術を利用して、録画装置１０００とデータの授受を行なう無線通信機能を有する。無線通信部２１０は、録画装置１０００を制御するための制御データ、時刻データ等を、無線技術を利用して、録画装置１０００とやりとりする。
【０１０９】
アンテナ２２０は、携帯端末２００が、移動体通信網３００内の基地局３０２との間で電波を送受信するために利用される。
【０１１０】
表示部２３０は、ユーザ１０に各種情報を、文字や画像等で表示する機能を有する。表示部２３０は、液晶ディスプレイ、ＦＥＤ、有機ＥＬディスプレイ、ドットマトリクス等その他の画像表示方式の表示機器のいずれであってもよい。
【０１１１】
選択ボタン２０２は、ユーザ１０が、押下することで、表示部２３０に表示された選択項目等を選択するためのボタンである。
【０１１２】
決定ボタン２０３は、ユーザ１０が、押下することで、選択ボタン２０２により選択された項目等を決定（実行）するためのボタンである。
【０１１３】
録画装置連携ボタン２０４は、ユーザ１０が、押下することで、録画装置１０００に対し、録画データを再生させる処理、録画データに対応付けられた情報データ（時刻データ）を要求する処理等の録画装置１０００との連携に必要なデータのやりとりを行なうためのボタンである。
【０１１４】
なお、選択ボタン２０２、決定ボタン２０３および録画装置連携ボタン２０４の位置は、図３に示される位置に限定されることなく、他の位置に配置されていてもよい。
【０１１５】
また、表示部２３０は、タッチパネル方式の表示部であってもよい。この場合、表示部２３０上に、決定ボタン２０３に対応する画像、録画装置連携ボタン２０４に対応する画像を表示し、ユーザ１０にそれぞれのボタンの画像をタッチさせてもよい。この場合、当該タッチされた画像に対応するボタンは、ユーザ１０に実際に押下されたのと同様な機能を有する。
【０１１６】
図４は、録画データ処理部１４００および再生時処理部１５００の各々の内部の機能ブロックを示した図である。
【０１１７】
図４を参照して、録画データ処理部１４００は、画像データ処理部１１００が、受信した放送番組を録画する際、時刻管理部１６３０から所定時間間隔で取得する時刻データを使用して、録画データと、放送開始・終了時刻のデータ、ＣＭ開始・終了時刻のデータおよび放送時属性データ等の放送番組の時刻データとを対応付けて記憶部１３００に記憶させる機能を有する。
【０１１８】
録画データ処理部１４００は、予約録画情報取得部１４１０、時間間隔決定部１４２０、時刻データ取得部１４３０、放送属性取得部１４４０、録画データ管理部１４５０、リスト管理部１４６０として動作する。
【０１１９】
予約録画情報取得部１４１０は、録画装置１０００において予約録画が設定されている場合、予約録画データから必要な情報を取得する。予約録画データは、記憶部１３００に記憶されている。予約録画データは、予約録画を行なう日時の情報（録画開始時刻および録画終了時刻の情報）、チャンネル情報および番組名の情報等からなるＥＰＧ情報を含む。
【０１２０】
予約録画データは、ユーザ１０が、録画装置１０００または携帯端末２００を操作することで、予め、設定したデータである。なお、予約録画データは、ＥＰＧ情報の代わりにＧコード（登録商標）を含んでいてもよい。また、予約録画データは、ＥＰＧ情報の代わりに、ユーザ１０が、入力した予約録画を行なう日時の情報、チャンネル情報であってもよい。
【０１２１】
時間間隔決定部１４２０は、予約録画情報取得部１４１０が取得した録画開始時刻および録画終了時刻の情報に基づいて、時刻管理部１６３０から、時刻データを取得するために最適な時間間隔を決定する。以下においては、時刻管理部１６３０から時刻データを取得する時間間隔を、時刻データ取得時間間隔とも称する。
【０１２２】
たとえば、時間間隔決定部１４２０が、録画開始時刻および録画終了時刻の情報により、予約録画を行なう番組の長さが６０分であることを算出した場合、時間間隔決定部１４２０は、時刻データ取得時間間隔を、たとえば、１０分に設定する。
【０１２３】
時刻データ取得部１４３０は、録画開始時刻から、時間間隔決定部１４２０により決定された時刻データ取得時間間隔で、順次、時刻管理部１６３０から時刻データを取得する。
【０１２４】
放送属性取得部１４４０は、時刻データ取得部１４３０が時刻データを取得した時点における、録画装置１０００が録画処理している放送番組の放送属性を取得する。そして、放送属性取得部１４４０は、当該時刻データと放送属性とを対応づけたデータ（以下においては、時刻−放送属性対応データとも称する）を生成し、記憶部１３００に記憶させる。当該時刻−放送属性対応データの記憶処理は、録画処理中に行われる。以下においては、複数の時刻−放送属性対応データからなるデータテーブルを時刻−放送属性対応データテーブルとも称する。
【０１２５】
図５は、一例としての時刻−放送属性対応データテーブル６００を示す図である。
図５を参照して、時刻−放送属性対応データテーブル６００は、複数の時刻−放送属性対応データから構成される。
【０１２６】
たとえば、時刻−放送属性対応データ６１０Ｓは、対応する番組の録画処理の開始時刻、すなわち、放送開始時刻を示す。また、時刻−放送属性対応データ６１０Ｓは、放送開始時刻の属性として「放送開始」を示す。
【０１２７】
時刻−放送属性対応データ６３０ＣＳは、対応する番組の放送途中のＣＭの開始時刻を示す。また、時刻−放送属性対応データ６３０ＣＳは、放送開始時刻の属性として「ＣＭ開始」を示す。
【０１２８】
時刻−放送属性対応データ６３０ＣＥは、時刻−放送属性対応データ６３０ＣＳに対応するＣＭの終了時刻を示す。また、時刻−放送属性対応データ６３０ＣＥは、放送開始時刻の属性として「ＣＭ終了」を示す。
【０１２９】
時刻−放送属性対応データ６２０Ａ，６２２Ａ，６２４Ａ，６２６Ａ，６２８Ａは、それぞれ、録画処理中の番組の放送開始時刻から時刻データ取得時間間隔（たとえば、１０分）毎の時刻を示すデータを示す。また、時刻−放送属性対応データ６２０Ａ，６２２Ａ，６２４Ａ，６２６Ａ，６２８Ａの各々は、放送開始時刻の属性として「放送中」を示す。
【０１３０】
時刻−放送属性対応データ６１０Ｅは、対応する番組の録画処理の終了時刻、すなわち、放送終了時刻を示す。また、時刻−放送属性対応データ６１０Ｅは、放送開始時刻の属性として「放送終了」を示す。
【０１３１】
再び、図４を参照して、録画データ管理部１４５０は、放送属性取得部１４４０が生成した時刻−放送属性対応データを、録画処理している番組、すなわち、録画データに対応付けて、記憶部１３００に記憶させる。当該対応付ける位置（ポイント）は、詳細は後述するが、取得した時刻データに対応する録画データの位置（ポイント）とする。
【０１３２】
図６は、一例としての録画データ７００ＲＤと、時刻−放送属性対応データテーブル６００における複数の時刻−放送属性対応データとの対応関係を示す図である。
【０１３３】
図６を参照して、録画データ７００ＲＤ内の、データ７１０ＲＤ，７２０ＲＤは、ＣＭ時の録画データを示している。
【０１３４】
時刻−放送属性対応データテーブル６００における複数の時刻−放送属性対応データは、録画データ７００ＲＤの複数の矢印の各々に該当する位置（ポイント）と対応付けられている。
【０１３５】
たとえば、ＣＭ時の録画データであるデータ７１０ＲＤの開始・終了時点には、時刻−放送属性対応データ６３０ＣＳ，６３０ＣＥが、それぞれ対応付けられている。
【０１３６】
再び、図４を参照して、リスト管理部１４６０は、予約録画情報取得部１４１０が取得した情報に基づいて、録画番組情報データリスト８００を生成し、記憶部１３００に記憶させる。リスト管理部１４６０は、必要に応じて、記憶部１３００に記憶された録画番組情報データリスト８００の変更、録画番組情報データリスト８００のうちの必要な情報の読み出し等を行なう。
【０１３７】
図７は、一例としての録画番組情報データリスト８００を示す図である。
図７を参照して、録画番組情報データリスト８００は、番組の放送日、放送時刻、チャンネルおよび番組名を関連づけた録画番組情報データを１つのデータとして、複数の録画番組情報データを示す。複数の録画番組情報データは、たとえば、録画番組情報データ８１０，８１２，８１４である。
【０１３８】
たとえば、録画番組情報データ８１０は、「放送日」は“２００４年１１月１５日”、「放送日時」は“２０：００〜２０：５４”、「チャンネル」は“関東圏の８チャンネル”、番組名は“音楽○×”という情報を示すデータである。
【０１３９】
なお、本実施の形態では、録画番組情報データは、前述の４項目の情報を示すデータであるが、たとえば、出演者等のデータを含んだ４項目以上の情報を示すデータであってもよい。
【０１４０】
次に、再生時処理部１５００について説明する。
再生時処理部１５００は、録画データ処理部１４００により生成された時刻−放送属性対応データ等を、無線通信部１６２０を利用して、携帯端末２００へ送信する機能を有する。
【０１４１】
再生時処理部１５００は、受信データ解析部１５１０、リスト管理部１５６０、番組検索部１５２０、録画番組情報データ取得部１５３０および録画番組情報データ解析部１５４０として動作する。
【０１４２】
受信データ解析部１５１０は、携帯端末２００から、無線通信部１６２０、Ｉ／Ｏコントローラ１６１０を介して受信したデータを解析する機能を有する。当該受信したデータは、録画装置１０００を制御するための制御データである。以下においては、録画装置１０００を制御するための制御データを録画装置制御データとも称する。
【０１４３】
録画装置制御データは、録画装置１０００に時刻−放送属性対応データを携帯端末２００へ送信させるための指示データ、録画番組情報データリスト８００の全てまたは一部を携帯端末２００へ送信させるための指示データ、録画番組情報データリスト８００において、ユーザ１０が指定した番組の検索・再生を、録画装置１０００に実行させるための指示データ等を含む。
【０１４４】
リスト管理部１５６０は、受信データ解析部１５１０が解析した録画装置制御データに基づいて、たとえば、録画番組情報データリスト８００の全てまたは一部を読み出すといった処理を行なう。すなわち、リスト管理部１５６０は、録画番組情報データリスト８００を管理する。
【０１４５】
番組検索部１５２０は、リスト管理部１５６０から録画番組情報データリスト８００を取得する。また、番組検索部１５２０は、受信データ解析部１５１０が解析した録画装置制御データのうち、録画番組情報データリスト８００において検索を行なうための検索キーとなる番組名を、受信データ解析部１５１０から取得する。番組検索部１５２０は、当該取得した検索キー（番組名）に基づいて、録画番組情報データリスト８００の中で対応する録画番組情報データを検索する。なお、検索キーは、番組名に限定されることなく、チャンネル情報、放送時刻の情報などであってもよい。
【０１４６】
録画番組情報データ取得部１５３０は、番組検索部１５２０により検索された録画番組情報データを、記憶部１３００から読み出す。
【０１４７】
録画番組情報データ解析部１５４０は、録画番組情報データに対応する録画データの再生時、順次、対応する時刻−放送属性対応データを記憶部１３００から読み出し、Ｉ／Ｏコントローラ１６１０、無線通信部１６２０を利用して、携帯端末２００へ送信させる処理を行なう。
【０１４８】
次に、携帯端末２００の内部の機能について説明する。
図８は、携帯端末２００の内部の機能ブロックを示した図である。
【０１４９】
図８を参照して、携帯端末２００は、データ処理部２５０と、記憶部２６０とを含む。データ処理部２５０は、表示部２３０と、無線通信部２１０と、アンテナ２２０に接続されている。
【０１５０】
記憶部２６０は、電源を供給されなくてもデータを保持可能な媒体（たとえば、フラッシュメモリ）である。記憶部２６０には、データ処理部２５０に後述する処理を行なわせるための制御プログラム、その他各種プログラムおよびデータ等が記憶されている。
【０１５１】
データ処理部２５０は、録画データ処理部１４００と同様な構成を有する。データ処理部２５０は、記憶部２６０に記憶された制御プログラムに従って、携帯端末２００の内部の各部に対する各種処理や、演算処理等を行なう機能を有する。
【０１５２】
データ処理部２５０は、受信データ解析部２５１、録画番組情報データリスト管理部２５２、番組選択部２５３、時刻データ解析部２５４、放送属性解析部２５５、放送時時刻算出部２５６、サービス接続情報作成部２５７として動作する。
【０１５３】
受信データ解析部２５１は、無線通信部２１０で受信した受信データを解析する。以下においては、無線通信部２１０で受信した受信データを、携帯端末受信データとも称する。携帯端末受信データは、録画番組情報データリスト８００の全てまたは一部のデータ、時刻−放送属性対応データを含む。また、受信データ解析部２５１は、アンテナ２２０で受信した受信データも解析する。
【０１５４】
受信データ解析部２５１は、携帯端末受信データに含まれる録画番組情報データリスト８００の全てまたは一部のデータを録画番組情報データリスト管理部２５２へ送る。
【０１５５】
また、受信データ解析部２５１は、携帯端末受信データに含まれる時刻−放送属性対応データを、時刻データ解析部２５４および放送属性解析部２５５へ送る。
【０１５６】
録画番組情報データリスト管理部２５２は、受信した録画番組情報データリスト８００の全てまたは一部のデータを表示部２３０に表示させる。
【０１５７】
番組選択部２５３は、録画番組情報データリスト管理部２５２から、録画番組情報データリスト８００の全てまたは一部のデータを取得し、ユーザ１０の選択ボタン２０２、決定ボタン２０３の押下操作により、録画装置１０００で再生させる録画データに対応した録画番組情報データを選択する。番組選択部２５３は、選択した録画番組情報データを特定する情報を無線通信部２１０を利用して、録画装置１０００へ送信する。
【０１５８】
時刻データ解析部２５４は、受信した時刻−放送属性対応データを解析し、解析した時刻情報を表示部２３０に表示させる。また、時刻データ解析部２５４は、解析した時刻データを放送時時刻算出部２５６へ送る。
【０１５９】
放送属性解析部２５５は、受信した時刻−放送属性対応データに基づいて、放送属性を解析し、放送形態を判断する。ここで、放送形態とは、録画装置１０００により再生されている録画データに対応する録画番組情報データに基づいて、録画装置１０００が、時刻−放送属性対応データを送信する時点の放送状態のことを示す。放送状態には、放送開始、ＣＭ中、放送中、放送終了等の状態がある。
【０１６０】
放送時時刻算出部２５６は、時刻データを受信した時点から経過時間を計算し、経過時間を計算する毎に、受信した時刻データを更新する。たとえば、時刻データが「２０：００：００」を示すデータである場合、放送時時刻算出部２５６は、時刻データを受信してから、たとえば、１秒毎に、時刻データ（２０：００：００）も１秒ずつカウントアップさせる。
【０１６１】
放送時時刻算出部２５６は、時刻データに基づいて、カウントアップさせている時刻（以下においては、放送時時刻とも称する）を、時間を計算する毎に、表示部２３０に表示させる。すなわち、放送時時刻は、携帯端末２００が生成する時刻である。
【０１６２】
サービス接続情報作成部２５７は、放送時時刻算出部２５６から放送時時刻を受け取り、受信データ解析部２５１から、放送日時、チャンネル情報、番組名の情報を含む録画番組情報データを受け取り、受け取ったデータに基づいて、サービス接続情報を生成する。サービス接続情報は、放送日時、チャンネル情報、番組名、放送時時刻を含む情報である。
【０１６３】
なお、本実施の形態においては、テレビ局４１０、番組提供会社４２０および音楽提供会社４３０は、番組の放送と連携して、番組放送時にリアルタイムにサービス（以下においては、番組連携リアルタイムサービスとも称する。）を提供するものとする。番組連携リアルタイムサービスは、テレビ局４１０、番組提供会社４２０および音楽提供会社４３０の各々が、インターネット上で運営しているサービスである。以下においては、携帯端末２００でアクセス可能な、インターネット上で番組連携リアルタイムサービスを提供しているサイトを、番組連携リアルタイムサービスサイトとも称する。
【０１６４】
また、本実施の形態においては、番組終了後であっても、携帯端末２００から前述のサービス接続情報を、番組連携リアルタイムサービスサイトのＵＲＬ（Uniform Resource Locator）へ送信することで、番組連携リアルタイムサービスサイトに接続可能であるとする。
【０１６５】
また、本実施の形態においては、番組終了後であって、当該番組を録画した録画データを再生して視聴しているときにおいても、番組連携リアルタイムサービスサイトは、前述のサービス接続情報を、受信すれば、番組連携リアルタイムサービスのうち、利用可能なサービスの有無を携帯端末２００を介して、ユーザ１０に教えることも行なう。これにより、ユーザ１０は、番組終了後であっても、番組連携リアルタイムサービスを享受できる。
【０１６６】
サービス接続情報作成部２５７は、アンテナ２２０を利用して、生成したサービス接続情報を、移動体通信網３００、インターネット網３１０を介して、たとえば、テレビ局４１０が提供する番組連携リアルタイムサービスサイトに送信することで、番組連携リアルタイムサービスサイトに接続する。
【０１６７】
これにより、サービス接続情報に対応する番組（２０時から２１時の間放送される番組）が終了した後（たとえば、２２時）でも、番組連携リアルタイムサービスサイトが、リアルタイム（番組の放送時）に提供している番組連携リアルタイムサービスを享受することが可能となる。
【０１６８】
次に、録画装置１０００が行なう録画処理について説明する。なお、以下の録画処理は、記憶部１３００に記憶されている予約録画データに基づいて行なわれる。録画データ処理部１４００は、予約録画データに含まれる録画開始時刻の情報に基づいて、録画開始時刻になると、以下の録画処理を行なう。なお、予約録画データには、後述する番組情報生成フラグが含まれる。以下の録画処理で録画される番組は、前述したＣＭ開始データおよびＣＭ終了データを含むデジタル放送の番組であるとする。
【０１６９】
図９は、録画処理のフローチャートである。
図９を参照して、ステップＳ１００では、録画データ処理部１４００が、録画番組情報データを作成するか否かを判定する。具体的には、録画データ処理部１４００が、録画番組情報データを作成するための番組情報生成フラグがオンであるか否かを判定する。番組情報生成フラグがオンであるか否かの情報は、予約録画データに含まれる。番組情報生成フラグがオンである場合は、録画データ処理部１４００が、録画番組情報データを作成する。なお、録画番組情報データを作成するか否かは、ユーザが番組の予約録画時に予め設定する。
【０１７０】
ステップＳ１００において、ＹＥＳならば、ステップＳ１０２に進む。一方、ステップＳ１００において、ＮＯならば、ステップＳ１００Ａに進む。
【０１７１】
ステップＳ１００Ａでは、録画データ処理部１４００が、通常の録画処理を行なう。ここで、通常の録画処理とは、録画データ処理部１４００が、録画番組情報データを作成せずに、画像データ処理部１１００に番組を録画させる処理である。ステップＳ１００Ａの処理が終了すると、この録画処理は終了する。
【０１７２】
ステップＳ１０２では、録画データ処理部１４００が、予約録画データに基づいて、画像データ処理部１１００に、録画処理を開始させる。具体的には、画像データ処理部１１００が、予約録画データに示される、録画開始時刻の情報、録画終了時刻の情報、チャンネル情報に基づいて、当該チャンネル情報に対応する番組の録画を開始する。その後、ステップＳ１０４に進む。
【０１７３】
ステップＳ１０４では、録画データ処理部１４００が、予約録画データに基づいて、録画番組情報データを生成する。この場合、録画番組情報データは、放送日時（日付の情報、録画開始時刻および録画終了時刻の情報）、放送時刻、番組名、チャンネル情報等の情報を含むデータである。なお、予約録画データに、たとえば、番組名の情報がない場合は、録画データ処理部１４００は、放送日時、放送時刻、チャンネル情報等の情報を含む録画番組情報データを生成する。そして、録画データ処理部１４００は、録画番組情報データを記憶部１３００に記憶させる。その後、ステップＳ１０６に進む。
【０１７４】
ステップＳ１０６では、録画データ処理部１４００が、時刻報知部１６５０から受信した時刻データに基づく時刻を使用し、属性として「放送開始」を示す時刻−放送属性対応データ（たとえば、図５の時刻−放送属性対応データ６１０Ｓ）を生成し、記憶部１３００に記憶させる。その後、ステップＳ１０７に進む。
【０１７５】
ステップＳ１０７では、録画データ処理部１４００が、現在の時刻が、録画中の番組の録画終了時刻であるか否かを判定する。具体的には、録画データ処理部１４００が、時刻報知部１６５０から受信した時刻データに基づく現在の時刻が、予約録画データに基づいて取得した録画終了時刻以降であるか否かを判定する。
【０１７６】
ステップＳ１０７において、ＹＥＳならば、後述するステップＳ１３０に進む。一方、ステップＳ１０７において、ＮＯならば、ステップＳ１１０に進む。
【０１７７】
ステップＳ１１０では、録画データ処理部１４００が、録画中の番組においてＣＭが開始されたか否かを判定する。具体的には、録画データ処理部１４００が、ＣＭ開始データを検知したか否かを判定する。ステップＳ１１０において、ＹＥＳならば、ステップＳ１１２に進む。一方、ステップＳ１１０において、ＮＯならば、ステップＳ１２０に進む。
【０１７８】
ステップＳ１１２では、録画データ処理部１４００が、時刻報知部１６５０から受信した時刻データに基づく時刻を使用し、属性として「ＣＭ開始」を示す時刻−放送属性対応データ（たとえば、図５の時刻−放送属性対応データ６３０ＣＳ）を生成し、記憶部１３００に記憶させる。その後、ステップＳ１１４に進む。
【０１７９】
ステップＳ１１４では、録画データ処理部１４００が、ＣＭが終了したか否かを判定する。具体的には、録画データ処理部１４００が、ＣＭ終了データを検知したか否かを判定する。ステップＳ１１４において、ＹＥＳならば、ステップＳ１１６に進む。一方、ステップＳ１１４において、ＮＯならば、再度、ステップＳ１１４の処理が繰り返される。
【０１８０】
ステップＳ１１６では、録画データ処理部１４００が、時刻報知部１６５０から受信した時刻データに基づく時刻を使用し、属性として「ＣＭ終了」を示す時刻−放送属性対応データ（たとえば、図５の時刻−放送属性対応データ６３０ＣＥ）を生成し、記憶部１３００に記憶させる。その後、再度、ステップＳ１０７の処理が繰り返される。
【０１８１】
ステップＳ１２０では、所定時間経過したか否かが判定される。具体的には、録画データ処理部１４００が、前述の時刻データ取得時間間隔（たとえば、１０分）で時刻データを送信する時刻管理部１６３０から、時刻データを受信したか否かを判定する。
【０１８２】
ステップＳ１２０において、ＹＥＳならば、ステップＳ１２２に進む。一方、ステップＳ１２０において、ＮＯならば、再度、ステップＳ１０７の処理が繰り返される。
【０１８３】
ステップＳ１２２では、録画データ処理部１４００が、時刻管理部１６３０から受信した時刻データに基づく時刻を使用し、属性として「放送中」を示す時刻−放送属性対応データ（たとえば、図５の時刻−放送属性対応データ６２０Ａ）を生成し、記憶部１３００に記憶させる。その後、再度、ステップＳ１０７の処理が繰り返される。
【０１８４】
前述のステップＳ１０７において、ＹＥＳならば、ステップＳ１３０に進む。
ステップＳ１３０では、録画データ処理部１４００が、時刻報知部１６５０から受信した時刻データに基づく時刻を使用し、属性として「放送終了」を示す時刻−放送属性対応データ（たとえば、図５の時刻−放送属性対応データ６１０Ｅ）を生成し、記憶部１３００に記憶させる。
【０１８５】
以上により、この録画処理は終了する。
次に、携帯端末２００と、録画装置１０００との連携処理について説明する。
【０１８６】
図１０は、携帯端末２００と、録画装置１０００との連携処理を示すフローチャートである。
【０１８７】
図１０を参照して、携帯端末２００では、まず、ステップＳ２００の処理が行なわれる。
【０１８８】
ステップＳ２００では、データ処理部２５０が、録画番組情報データリストの要求を行なうためのリスト要求データを、無線通信部２１０を利用して、録画装置１０００へ送信する。当該録画番組情報データリストは、たとえば、図７の録画番組情報データリスト８００であるとする。
【０１８９】
録画装置１０００では、まず、ステップＳ３００の処理が行なわれる。
ステップＳ３００では、番組リスト要求があるか否かが判定される。具体的には、再生時処理部１５００が、携帯端末２００からリスト要求データを受信したか否かが判定される。ステップＳ３００において、ＹＥＳならば、ステップＳ３０２に進む。一方、ステップＳ３００において、ＮＯならば、再度、ステップＳ３００の処理が行なわれる。
【０１９０】
ステップＳ３０２では、再生時処理部１５００が、要求された録画番組情報データリスト８００のデータを、無線通信部１６２０を利用して、携帯端末２００へ送信する。
【０１９１】
携帯端末２００では、ステップＳ２００の処理の後、ステップＳ２０２に進む。
ステップＳ２０２では、データ処理部２５０が、無線通信部２１０を利用して、録画番組情報データリスト８００のデータを受信する。そして、データ処理部２５０は、表示部２３０に、録画番組情報データリスト８００の主要情報を表示した録画番組情報データリスト表示画像を表示させる。
【０１９２】
図１１は、携帯端末２００の表示部２３０に表示される画像を示す図である。
図１１（Ａ）は、一例としての録画番組情報データリスト表示画像９００を示す図である。
【０１９３】
再び、図１０を参照して、ステップＳ２０２の処理が終了すると、ステップＳ２０４に進む。
【０１９４】
ステップＳ２０４では、データ処理部２５０が、無線通信部２１０を利用して、録画装置１０００に再生させる番組を特定するデータ（以下においては、再生番組特定データとも称する）を、録画装置１０００へ送信する。録画装置１０００に再生させる番組は、ユーザ１０が、表示部２３０に表示された録画番組情報データリスト表示画像９００を参照し、ユーザ１０の選択ボタン２０２、決定ボタン２０３の押下操作により決定される。
【０１９５】
再び、図１１を参照して、図１１（Ｂ）は、録画番組情報データリスト表示画像９００Ａを示す図である。録画番組情報データリスト表示画像９００Ａは、録画番組情報データリストの中から再生させる番組を選択した状態を示す画像である。
【０１９６】
再び、図１０を参照して、録画装置１０００では、ステップＳ３０２の処理の後、ステップＳ３０４に進む。
【０１９７】
ステップＳ３０４では、再生時処理部１５００が、無線通信部１６２０を利用して、再生番組特定データを受信する。その後、ステップＳ３０６に進む。
【０１９８】
ステップＳ３０６では、再生番組特定データに対応する番組（録画データ）が再生される。具体的には、再生時処理部１５００が、再生番組特定データに対応する録画データを、記憶部１３００から読み出す。そして、当該読み出した録画データを、画像データ処理部１１００へ送信し、録画データをデコードさせ、表示部１００に映像を表示させる。その後、ステップＳ３１０に進む。
【０１９９】
ステップＳ３１０では、再生時処理部１５００が、再生中の録画データのうち、現在再生しているポイントに対応づけられている時刻−放送属性対応データがあるか否かを判定する。ステップＳ３１０において、ＹＥＳならば、ステップＳ３１２に進む。一方、ステップＳ３１０において、ＮＯならば、後述するステップＳ３１４に進む。
【０２００】
ステップＳ３１２では、再生時処理部１５００が、無線通信部１６２０を利用して、時刻−放送属性対応データを、携帯端末２００へ送信する。なお、初めて、ステップＳ３１２の処理が行われるときは、送信される時刻−放送属性対応データは、再生中の開始時刻を含むデータ、たとえば、時刻−放送属性対応データ６１０Ｓである。
【０２０１】
録画装置１０００では、ステップＳ２０４の処理の後、ステップＳ２０６に進む。
ステップＳ２０６では、データ処理部２５０が、無線通信部２１０を利用して、時刻−放送属性対応データを受信する。データ処理部２５０は、受信した時刻−放送属性対応データに基づく情報を表示した画像（以下においては、再生時状態画像とも称する）を生成し、表示部２３０に表示させる。なお、ステップＳ２０６で受信する時刻−放送属性対応データは、再生中の開始時刻を含むデータ、たとえば、時刻−放送属性対応データ６１０Ｓである。
【０２０２】
再び、図１１を参照して、図１１（Ｃ）は、再生時状態画像９１０を示す図である。
図１１（Ｃ）を参照して、再生時状態画像９１０には、時刻−放送属性対応データに対応する放送属性を示す放送属性表示画像９１２が配置される。また、再生時状態画像９１０には、時刻−放送属性対応データに基づいた時刻を表示する時刻表示画像９１４が配置される。また、再生時状態画像９１０には、後述するサービスに接続するためのボタン画像９１６が配置される。
【０２０３】
再び、図１０を参照して、ステップＳ２０６の処理の後、ステップＳ２０８に進む。
ステップＳ２０８では、時刻データの更新が開始される。具体的には、データ処理部２５０が、再生中の録画データの開始時刻の情報を含む時刻−放送属性対応データを受信した時点から経過時間を計算し、経過時間を計算する毎に、受信した時刻−放送属性対応データに含まれる時刻データを更新する。
【０２０４】
たとえば、時刻データが「２０：００：００」を示すデータである場合、データ処理部２５０は、時刻データを受信してから、たとえば、１秒毎に、時刻データ（２０：００：００）も１秒ずつカウントアップさせる。当該カウントアップされている時刻が、前述の放送時時刻である。
【０２０５】
また、データ処理部２５０は、時刻データを更新する毎に、時刻表示画像９１４を変更した再生時状態画像を生成し、表示部２３０に表示させる。ここで、生成された画像は、たとえば、以下に説明する再生時状態画像９１０Ａであるとする。
【０２０６】
再び、図１１を参照して、図１１（Ｄ）は、再生時状態画像９１０Ａを示す図である。
図１１（Ｄ）を参照して、再生時状態画像９１０Ａは、再生時状態画像９１０と比較して、放送属性表示画像９１２の代わりに放送属性表示画像９１２Ａが配置され、時刻表示画像９１４の代わりに時刻表示画像９１４Ａが配置された画像である。放送属性表示画像９１２Ａは、放送属性として放送中であることを示す「放送中」を表示する。時刻表示画像９１４Ａは、更新された時刻データに基づく時刻（放送時時刻）を表示する。
【０２０７】
再び、図１０を参照して、ステップＳ２０８の処理が終了すると、ステップＳ２０９に進む。
【０２０８】
ステップＳ２０９では、サービス接続指示があるか否かが判定される。具体的には、データ処理部２５０が、ユーザ１０の選択ボタン２０２の押下操作により、ボタン画像９１６が選択され、かつ、ユーザ１０の決定ボタン２０３押下操作が行なわれたか否かが判定される。ステップＳ２０９において、ＹＥＳならば、ステップＳ２１０に進む。一方、ステップＳ２０９において、ＮＯならば、後述するステップＳ２２０に進む。
【０２０９】
ステップＳ２１０では、サービス接続処理が行なわれる。
図１２は、サービス接続処理のフローチャートである。
【０２１０】
図１２を参照して、ステップＳ２１１では、データ処理部２５０が、受信した時刻−放送属性対応データに基づいて、図８で説明したように、サービス接続情報を生成する。前述したようにサービス接続情報は、放送日時、チャンネル情報、番組名、放送時時刻を含む情報である。また、前述したように放送時時刻は、データ処理部２５０が、受信した時刻−放送属性対応データに基づいて生成する時刻である。その後、ステップＳ２１２に進む。
【０２１１】
ステップＳ２１２では、データ処理部２５０が、アンテナ２２０を利用して、サービス接続情報を、移動体通信網３００、インターネット網３１０を介して、前述した番組連携リアルタイムサービスサイトのＵＲＬへ送信する。番組連携リアルタイムサービスサイトは、たとえば、音楽提供会社４３０が提供するものとする。番組連携リアルタイムサービスサイトへサービス接続情報を送信すると、携帯端末２００は、番組連携リアルタイムサービスサイトに接続でき、番組連携リアルタイムサービスサイトが提供している番組連携リアルタイムサービスを享受できるようになる。その後、ステップＳ２１３に進む。
【０２１２】
ステップＳ２１３では、データ処理部２５０が、アンテナ２２０を利用して、番組連携リアルタイムサービスサイトが提供する番組連携リアルタイムサービスを享受するためのデータを受信する。携帯端末２００の表示部２３０には、受信したデータに基づいた画像が表示される。
【０２１３】
番組連携リアルタイムサービスの一例としては、ＣＭ放送時にＣＭテーマ曲に対応した着信時再生音楽データをリアルタイムで提供するサービスである。ここで、着信時再生音楽データは、前述したように携帯端末２００において、データの着信を報知するためのデータである。
【０２１４】
この場合、送信するサービス接続情報に、放送属性としての「ＣＭ中」のデータを含めることで、番組連携リアルタイムサービスサイトは、リアルタイムの時刻に放送されていたＣＭを認識する。そして、番組連携リアルタイムサービスサイトは、当該認識したＣＭに対応した着信時再生音楽データを検索して、読み出す。これにより、携帯端末２００は、必要に応じて着信時再生音楽データをダウンロードすることができる。
【０２１５】
再び、図１１を参照して、図１１（Ｆ）は、番組連携リアルタイムサービスサイトの接続時に、表示部２３０に表示される、一例としての画像９１０Ｃである。
【０２１６】
画像９１０Ｃには、着信時再生音楽データを取得するためのサイト、番組が提供する商品プレゼントへの応募サイト、番組で放送された音楽データを購入するサイトへのリンクのボタンが表示されている。なお、画像９１０Ｃに表示されている各サイトへのボタンは、本放送時以降でもサービスを享受可能なサイトに接続するためのボタンである。
【０２１７】
再び、図１２を参照して、ステップＳ２１３の処理の後、ステップＳ２１４に進む。
ステップＳ２１４では、ユーザ１０が、表示部２３０に表示された複数の接続可能なサービスサイトから、希望のサービスサイトを選択し、選択したサービスサイトに接続する。
【０２１８】
ユーザ１０は、携帯端末２００の選択ボタン２０２、決定ボタン２０３の押下操作を行なうことで、サービスサイトに接続する。これにより、サービスサイトのサービスを享受できる。その後、ステップＳ２１５に進む。
【０２１９】
ステップＳ２１５では、接続終了指示があるか否かが判定される。具体的には、データ処理部２５０が、サービスサイトへの接続を終了するための選択ボタン２０２および決定ボタン２０３の押下操作をしたか否かが判定される。
【０２２０】
ステップＳ２１５において、ＹＥＳならば、このサービス接続処理は終了し、図１０の処理に戻り、ステップＳ２１０の次のステップＳ２２０に進む。一方、ステップＳ２１５において、ＮＯならば、再度、ステップＳ２１５の処理が行なわれる。
【０２２１】
以上説明したように、サービス接続処理では、以下の処理が行なわれる。すなわち、携帯端末２００は、受信した時刻−放送属性対応データに基づいて放送時時刻を生成する。そして、携帯端末２００は、放送日時、チャンネル情報、番組名、放送時時刻を含むサービス接続情報を生成し、前述した番組連携リアルタイムサービスを提供する番組連携リアルタイムサービスサイトへ送信する。これにより、放送終了後のリアルタイムではない時間帯に録画データを視聴中でも、放送時に提供していた番組連携リアルタイムサービスを容易に享受することができるという効果を奏する。
【０２２２】
再び、図１０を参照して、録画装置１０００では、ステップＳ３１２の処理の後、ステップＳ３１４に進む。
【０２２３】
ステップＳ３１４では、再生中の録画データが、最後まで再生されたか否かが判定される。具体的には、再生時処理部１５００が、現在、再生中の録画データを最後まで再生したか否かを判定する。ステップＳ３１４において、ＹＥＳならば、この録画装置１０００の録画データの再生処理は終了する。一方、ステップＳ３１４において、ＮＯならば、再度、ステップＳ３１０の処理が行われる。
【０２２４】
携帯端末２００では、ステップＳ２１０の処理が終了すると、ステップＳ２２０に進む。
【０２２５】
ステップＳ２２０では、データ処理部２５０が、時刻−放送属性対応データを受信したか否かを判定する。ステップＳ２２０において、ＹＥＳならば、ステップＳ２２１に進む。一方、ステップＳ２２０において、ＮＯならば、再度、ステップＳ２０９の処理が行われる。
【０２２６】
ステップＳ２２１では、時刻データの更新が行なわれる。処理自体は、ステップＳ２０８と同様な処理が行なわれる。すなわち、データ処理部２５０が、再生中の録画データの時刻の情報を含む、最新の時刻−放送属性対応データを受信した時点から経過時間を計算し、経過時間を計算する毎に、受信した最新の時刻−放送属性対応データに含まれる時刻データを更新する。すなわち、ステップＳ２２１の処理が行なわれる毎に、携帯端末２００で算出している放送時時刻に、わずかな誤差が生じても、誤差が修正されることになる。その後、ステップＳ２２２に進む。
【０２２７】
ステップＳ２２２では、データ処理部２５０が、受信した時刻−放送属性対応データに、放送属性として「放送中」を示す情報が含まれているか否かを判定する。ステップＳ２２２において、ＹＥＳならば、再度、ステップＳ２０９の処理が行われる。一方、ステップＳ２２２において、ＮＯならば、ステップＳ２２４に進む。
【０２２８】
ステップＳ２２４では、データ処理部２５０が、受信した時刻−放送属性対応データに、放送属性として「ＣＭ開始」を示す情報が含まれているか否かを判定する。ステップＳ２２４において、ＹＥＳならば、ステップＳ２２６に進む。一方、ステップＳ２２４において、ＮＯならば、ステップＳ２２８に進む。
【０２２９】
ステップＳ２２６では、表示部２３０に表示している画像を変更する。具体的には、データ処理部２５０が、受信した時刻−放送属性対応データに基づく情報を表示した再生時状態画像を生成し、表示部２３０に表示させる。ここで、生成された画像は、たとえば、以下に説明する再生時状態画像９１０Ｂであるとする。
【０２３０】
再び、図１１を参照して、図１１（Ｅ）は、再生時状態画像９１０Ｂを示す図である。
図１１（Ｅ）を参照して、再生時状態画像９１０Ｂは、再生時状態画像９１０と比較して、放送属性表示画像９１２の代わりに放送属性表示画像９１２Ｂが配置され、時刻表示画像９１４の代わりに時刻表示画像９１４Ｂが配置された画像である。放送属性表示画像９１２Ｂは、放送属性としてＣＭ中であることを示す「ＣＭ」を表示する。時刻表示画像９１４Ｂは、更新された時刻データに基づく時刻（放送時時刻）を表示する。なお、ステップＳ２２２，ステップＳ２２４の処理に要する時間は、わずかな時間（たとえば、０．０１秒）であるため、時刻表示画像９１４Ｂが表示する時刻は、受信した時刻−放送属性対応データに含まれる時刻データと同じになる。すなわち、時刻表示画像９１４Ｂは、受信した時刻−放送属性対応データに含まれる時刻データを表示するのと同じことになる。
【０２３１】
再び、図１０を参照して、ステップＳ２２６の処理が終了すると、ステップＳ２２８に進む。
【０２３２】
ステップＳ２２８では、データ処理部２５０が、受信した時刻−放送属性対応データに、放送属性として「ＣＭ終了」を示す情報が含まれているか否かを判定する。ステップＳ２２８において、ＹＥＳならば、データ処理部２５０が、表示部２３０の画像を、受信した時刻−放送属性対応データに対応する画像に変更して、再度、ステップＳ２０９の処理が行なわれる。一方、ステップＳ２２８において、ＮＯならば、ステップＳ２３０に進む。
【０２３３】
ステップＳ２３０では、データ処理部２５０が、受信した時刻−放送属性対応データに、放送属性として「放送終了」を示す情報が含まれているか否かを判定する。ステップＳ２３０において、ＹＥＳならば、ステップＳ２３２に進む。一方、ステップＳ２３０において、ＮＯならば、再度、ステップＳ２０９の処理が行なわれる。
【０２３４】
ステップＳ２３２では、表示部２３０に表示している画像を変更する。具体的には、データ処理部２５０が、受信した時刻−放送属性対応データに基づく情報を表示した再生時状態画像を生成し、表示部２３０に表示させる。
【０２３５】
以上により、この携帯端末２００の処理は終了する。
図１３は、本実施の形態における録画装置１０００と携帯端末２００の連携時の状態を示す図である。
【０２３６】
図１３を参照して、録画装置１０００と携帯端末２００との間では、無線技術を利用して、データの授受が行なわれる。当該無線技術は、前述したように、たとえば、赤外線技術またはＢｌｕｅｔｏｏｔｈ技術等である。
【０２３７】
録画装置１０００は、必要に応じて、携帯端末２００へ、前述した録画番組情報データリスト、時刻−放送属性対応データの送信を行なう。
【０２３８】
携帯端末２００から、録画装置１０００へは、録画番組情報データリストの要求を行なうためのリスト要求データ、録画装置１０００に再生させる番組を特定する再生番組特定データが送信される。
【０２３９】
なお、録画装置１０００と携帯端末２００との間でのデータの授受は、たとえば、インターネット等のネットワークを介して行なわれてもよい。
【０２４０】
また、図１３は、表示部１００の表示形態の一例を示す。この例では、表示部１００は、画像１０２を表示している。画像１０２は、録画番組情報データリストに含まれる放送日、番組名等の各データを表示している。このように、表示部１００は、録画番組情報データリストに含まれる全てのデータを表示してもよく、また、録画番組情報データリストに含まれるデータの一部を表示してもよい。
【０２４１】
本実施の形態では、携帯端末２００で番組名を指定し、録画装置１０００へ送信すると再生が実行される。当然の事ながら、画像１０２に表示されている録画番組情報データリストに対し、携帯端末２００のリモートコントロール機能を用いて、選択ボタン２０２、決定ボタン２０３で操作することも可能である。
【０２４２】
図１４は、録画装置１０００と携帯端末２００とが時刻−放送属性対応データを送受信する際のシーケンス図を示す。
【０２４３】
図１４を参照して、左から右方向に向かって時刻座標Ｔ１が設定されている。時刻座標Ｔ１は携帯端末における時間座標を表す。録画データ７００ＲＤは、図６と同様なので詳細な説明は繰り返さない。
【０２４４】
録画データ７００ＲＤの再生時時刻と、時刻座標Ｔ１上の時刻とは上下の位置で対応している。
【０２４５】
たとえば、録画データ７００ＲＤの再生時、録画データ７００ＲＤに対応付けられている時刻−放送属性対応データ６１０Ｓの時刻と、時刻座標Ｔ１上の時刻ｔ１とが同一時刻であることを示す。
【０２４６】
また、携帯端末２００は、時刻−放送属性対応データ６１０Ｓを、時刻座標Ｔ１上の時刻ｔ１で取得する事を表す。点線矢印Ｄ１，Ｄ２，Ｄ３，Ｄ４は録画装置１０００から携帯端末２００へ時刻−放送属性対応データを送信していることを表す。
【０２４７】
録画装置１０００において、時刻ｔ１において、録画データ７００ＲＤの再生が実行されると、録画装置１０００から、時刻−放送属性対応データ６１０Ｓが携帯端末２００へ送信される（点線矢印Ｄ１）。録画データ７００ＲＤの再生が継続され時刻ｔ２になると、録画装置１０００から、時刻−放送属性対応データ６２０Ａが携帯端末２００へ送信される（点線矢印Ｄ２）。携帯端末２００は、時刻−放送属性対応データ６２０Ａを受信すると、携帯端末２００で作成している放送時時刻を、時刻−放送属性対応データ６２０Ａに含まれる時刻に置き換える。そして、携帯端末２００は、時刻−放送属性対応データ６２０Ａに含まれる時刻に基づいて、放送時時刻を作成する。
【０２４８】
なお、時間区間ＤＴ１の間、携帯端末２００の表示部２３０には、再生時状態画像９１０Ａが表示される。放送時時刻を表示する時刻表示画像９１４Ａは、時間経過に合わせて逐次表示が更新される。
【０２４９】
時刻ｔ３では、録画装置１０００から、時刻−放送属性対応データ６３０ＣＳが携帯端末２００へ送信される（点線矢印Ｄ３）。このとき、携帯端末２００の表示部２３０に表示される画像は、内部に配置される放送属性を示す画像が、「放送中」から「ＣＭ中」に変更された画像となる。
【０２５０】
時刻−放送属性対応データの送受信処理は、再生視聴中の録画データについて早送りや巻き戻しをする場合でも考えられる。ユーザ１０は再生時、任意の時刻で「早送り」を実行する。停止するために「再生」を実行した場合、録画装置１０００は、「再生」を実行した時刻の時刻−放送属性対応データを作成する。
【０２５１】
具体的には、録画装置１０００は、時刻−放送属性対応データ６１０Ｓと、時間区間ＤＴ２の経過時刻とに基づいて、時刻ｔ４の時刻データを算出し、時刻−放送属性対応データを生成する。なお、当該時刻−放送属性対応データには、放送属性を示すデータは含まれない。
【０２５２】
そして、時刻ｔ４において、録画装置１０００から、前述の処理により生成された時刻−放送属性対応データが携帯端末２００へ送信される（点線矢印Ｄ４）。このとき、携帯端末２００の表示部２３０に表示される画像は、再生時状態画像９１０Ｄとなる。なお、再生時状態画像９１０Ｄは、放送属性が含まれない時刻−放送属性対応データに基づいて生成された画像であるため、放送属性は、表示されない。
【０２５３】
なお、早送り等の機器の操作後に放送属性を認識する手法として、録画装置１０００が、放送属性の区間を別途記録しておいてもよい。たとえば、録画装置１０００が時間区間ＤＴ３の放送属性を「放送中」と記録しているとすると、録画装置１０００は、時刻ｔ４の放送属性を「放送中」と認識できる。そして、当該認識した属性に基づいて、時刻−放送属性対応データを生成し、携帯端末２００へ送信すれば携帯端末２００で任意の時刻での放送属性の受信が可能となる。
【０２５４】
以上説明したように、本実施の形態によれば、番組の放送終了時でも、番組の進行に関連して提供するサービスを容易に享受できる。すなわち、放送時に提供されていたサービスを、放送終了後でも容易に享受できるという効果を奏する。
【０２５５】
なお、本実施の形態においては、携帯端末２００が、一定時間ごとに時刻データを含む時刻−放送属性対応データを取得している。これにより、再生している録画データの早送りや巻戻しが行なわれても、携帯端末２００および録画装置１０００の各々が認識する放送時時刻のずれを防ぐという効果を奏する。
【０２５６】
なお、放送時時刻のずれを防ぐ方法はこれに限定されることはない。たとえば、携帯端末２００が、時刻データを含む時刻−放送属性対応データの取得要求を録画装置１０００に送信する際に、録画装置１０００が記録している放送開始時刻と再生開始からのカウンタ量から、録画装置１０００が、要求時の放送時時刻を算出し、携帯端末２００へ送信してもよい。
【０２５７】
本実施の形態では、携帯端末２００は、録画データそのものを受信せず、時刻−放送属性対応データ、録画番組情報データリスト８００のデータ等を受信して前述の処理を行なっていた。
【０２５８】
しかしながら、携帯端末２００が、時刻−放送属性対応データ、録画番組情報データリスト８００のデータ等に加え、録画データそのものも受信し、前述のサービスを享受してもよい。この場合、携帯端末２００は、放送開始時の時刻データのみを取得すれば、その後の時刻は端末内で計算することにより、算出可能である。これにより、携帯端末２００は、録画装置１０００との通信は、再生実行時１度のみでよくなる。したがって、携帯電話２００は、時刻データを含む時刻−放送属性対応データの待ち受け状態を回避することが可能である。
【０２５９】
＜第２の実施の形態＞
図１５は、本実施の形態における仮想的リアルタイムサービス享受システム２００００を示す。図１５を参照して、仮想的リアルタイムサービス享受システム２００００は、図１の仮想的リアルタイムサービス享受システム１００００と比較して、ホームネットワークシステム２０００がない点と、携帯端末５０００を含む点が異なる。それ以外は、仮想的リアルタイムサービス享受システム１００００と同様なので詳細な説明は繰り返さない。
【０２６０】
携帯端末５０００は、テレビ局４１０より提供される放送信号を受信し、放送信号に基づく画像を表示するテレビ機能と、放送コンテンツを携帯電話内に保存する録画機能と、録画データを再生する再生機能と、移動体通信網３００およびインターネット網３１０を介してネットワーク上のコンテンツサービス提供網４００に接続し、該当のサービス用データを取得する機能を有する。
【０２６１】
携帯端末５０００は、後述する放送受信アンテナ２５０を利用して、テレビ局４１０から送信された放送番組データを受信し、当該放送番組データに、時刻管理部により得られた時刻データを対応付けて、記憶部に記録する機能を有する。
【０２６２】
具体的には、携帯端末５０００は、放送番組データ記録（録画）時、放送番組データの記録のみならず放送開始・終了時の時刻のデータ、ＣＭ（Commercial Message）開始・終了時の時刻のデータ、放送開始から放送終了までの一定間隔毎の時刻のデータ、放送時属性データ等を記憶部に記録する。
【０２６３】
仮想的リアルタイムサービス享受システム２００００では、携帯端末５０００を用い、移動体通信網３００およびインターネット網３１０を介して、番組公式情報データ４１２、番組提供情報データ４２２、音楽データ４３２等を自由に取得可能なサービスの契約をしている場面を想定している。
【０２６４】
携帯端末５０００は、たとえば、携帯電話、無線アクセス装置付きの個人情報端末（ＰＤＡ）、デスクトップパソコンおよびノートパソコン等のように、ネットワークに接続可能な機器であればいずれであってもよい。本実施の形態では、携帯端末５０００を、一例として、携帯電話として説明する。
【０２６５】
図１６は、本実施の形態における携帯端末５０００の外観図である。図１６を参照して、携帯端末５０００は、図３の携帯端末２００と比較して、放送受信アンテナ２５０をさらに備える点と、録画装置連携ボタン２０４の代わりに録画ボタン２０６を備える点と、再生ボタン２０７をさらに備える点とが異なる。それ以外は、携帯端末２００と同様なので詳細な説明は繰り返さない。
【０２６６】
表示部２３０は、録画データに基づく画像を表示する機能を有する。また、表示部２３０は、放送受信アンテナ２５０で受信された、テレビ局４１０から送信された放送番組データまたは電子番組テーブルデータを表示する機能を有する。
【０２６７】
録画ボタン２０６は、ユーザ１０が、押下することで、受信中の放送番組の録画を実行するためのボタンである。再生ボタン２０７は、ユーザ１０が、押下することで、携帯端末５０００内に保存されている録画済み番組のリストを表示する機能をもつボタンである。
【０２６８】
なお、選択ボタン２０２、決定ボタン２０３、録画ボタン２０６および再生ボタン２０７の位置は、図１６に示される位置に限定されることなく、他の位置に配置されていてもよい。
【０２６９】
図１７は、本実施の形態における携帯端末５０００の内部構成を示したブロック図である。以下においては、携帯端末５０００がもつ放送の録画機能、および再生機能の説明を行なう。当然のことながら、携帯端末５０００は一般的な携帯電話が持つ固有の機能も有する。当該固有の機能は、たとえば、電話機能、メール機能である。これらの機能については本実施の形態では説明しない。
【０２７０】
携帯端末５０００は、画像データ処理部５１００と、ネットワークコントローラ５２２０と、記憶部５３００と、録画データ処理部５４００と、再生時処理部５５００と、バス５６００と、Ｉ／Ｏコントローラ５６１０と、時刻管理部５６３０と、時刻報知部５６５０と、無線通信部５６２０と、記録媒体アクセス部５７００と、入力部５８００とを備える。
【０２７１】
画像データ処理部５１００、ネットワークコントローラ５２２０、記憶部５３００、録画データ処理部５４００、再生時処理部５５００、時刻管理部５６３０、時刻報知部５６５０、無線通信部５６２０、記録媒体アクセス部５７００および入力部５８００は、バス５６００に接続されている。
【０２７２】
記憶部５３００は、記憶部１３００と同様なものなので詳細な説明は繰り返さない。
録画データ処理部５４００は、記憶部５３００にアクセスする。録画データ処理部５４００は、記憶部５３００に記憶された制御プログラムに従って、携帯端末５０００の内部の各機器に対する各種処理や、演算処理等を行なう機能を有する。録画データ処理部５４００は、マイクロプロセッサ、プログラミングすることができるＬＳＩであるＦＰＧＡ、特定の用途のために設計、製造される集積回路であるＡＳＩＣ、その他の演算機能を有する回路のいずれであってもよい。
【０２７３】
再生時処理部５５００は、録画データ処理部５４００と同様な構成を有する。また、再生時処理部５５００も、記憶部５３００に記憶された制御プログラムに従って、携帯端末５０００の内部の各機器に対する各種処理や、演算処理等を行なう機能を有する。なお、録画データ処理部５４００および再生時処理部５５００の各々が行なう処理は、１つの演算プロセッサが行なってもよい。再生時処理部５５００は、表示部２３０と接続されている。再生時処理部５５００は、画像を生成し、表示部２３０に表示させる処理も行なう。
【０２７４】
時刻管理部５６３０は、時刻を管理する機能を有する。また、時刻管理部５６３０は、バス５６００に接続されている各部のうち、時刻データの取得要求があったところへ、現在の時刻を示す時刻データを送信する。
【０２７５】
時刻報知部５６５０は、時刻を管理する機能を有する。時刻報知部５６５０は、時刻データの取得要求に関わらず、画像データ処理部５１００、録画データ処理部５４００および再生時処理部５５００へ、時刻データが変更される毎（たとえば、１秒毎）に、時刻データを送信する。
【０２７６】
画像データ処理部５１００は、テレビチューナー５１２０と、ＭＰＥＧエンコーダ５１３０Ｅと、バスＩ／Ｆ５１４０とを含む。
【０２７７】
テレビチューナー５１２０には、放送受信アンテナ２５０が接続される。テレビチューナー５１２０は、放送受信アンテナ２５０により受信した放送番組データを受信する機能を有する。
【０２７８】
記憶部５３００には、記憶部１３００と同様に、ＣＭの開始を示すためのＣＭ開始フラグと、ＣＭの終了を示すためのＣＭ終了フラグとが記憶されているとする。初期状態では、ＣＭ開始フラグおよびＣＭ終了フラグは、オフに設定されている。
【０２７９】
ＭＰＥＧエンコーダ５１３０Ｅは、ＭＰＥＧエンコーダ１１３０Ｅと同様なものなので詳細な説明は繰り返さない。
【０２８０】
テレビチューナー５１２０は、受信した放送番組データに基づいて、映像信号に変換して、ＭＰＥＧエンコーダ５１３０Ｅへ出力する。また、テレビチューナー５１２０は、受信した放送番組データに基づいて、ＣＭ開始データ、ＣＭ終了データを取得し、ＭＰＥＧエンコーダ５１３０Ｅへ出力する。
【０２８１】
ＭＰＥＧエンコーダ５１３０Ｅは、テレビチューナー５１２０から入力された映像信号をＭＰＥＧ形式でエンコードする。以下においては、ＭＰＥＧエンコーダ５１３０Ｅによりエンコードされた映像信号をエンコードデータ（録画データ）とも称する。
【０２８２】
エンコードデータは、バスＩ／Ｆ５１４０、バス５６００を介して、記憶部５３００に記憶される。以下においては、画像データ処理部５１００が、受信した放送番組データをエンコードして、記録部５３００に記録させる処理を録画処理とも称する。
【０２８３】
なお、ＭＰＥＧエンコーダ５１３０Ｅは、テレビチューナー５１２０から、ＣＭ開始データ、ＣＭ終了データを受信した場合は、ＣＭ開始データ、ＣＭ終了データを、バスＩ／Ｆ５１４０、バス５６００を介して、録画データ処理部５４００へ送る。したがって、録画データ処理部５４００は、録画処理中に、ＣＭ開始データおよびＣＭ終了データを検知することができる。
【０２８４】
画像データ処理部５１００は、ＭＰＥＧデコーダ５１３０Ｄと、録画データ再生部５３００とをさらに含む。
【０２８５】
ＭＰＥＧデコーダ５１３０Ｄは、ＭＰＥＧエンコーダ５１３０Ｅがエンコードしたデータをデコードする機能を有する。ＭＰＥＧデコーダ５１３０Ｄは、バスＩ／Ｆ５１４０と接続される。
【０２８６】
ＭＰＥＧデコーダ５１３０Ｄは、記憶部５３００に記憶されたエンコードデータ（録画データ）を、バス５６００、バスＩ／Ｆ５１４０を介して読み出し、当該エンコードデータをデコードして、映像信号を生成する。当該映像信号は、録画データ再生部５３００に送信される。
【０２８７】
録画データ再生部５３００には、表示部２３０が接続される。録画データ再生部５３００は、ＭＰＥＧデコーダ５１３０Ｄから受信した映像信号に基づく画像を、表示部２３０に表示させる機能を有する。具体的には、録画データ再生部５３００は、ＭＰＥＧデコーダ５１３０Ｄがエンコードデータ（録画データ）をデコードしたデータに基づく画像を表示部２３０に表示させる機能を有する。
【０２８８】
また、録画データ再生部５３００は、インターネット網にあるサービスと接続する際に必要となる当該エンコードデータ（録画データ）に対応付けられて記憶部５３００に記憶されている情報データ（時刻データ等）を逐次読み出し、該当情報を解釈し表示する画像（以下、録画データ再生画像ともいう）を生成する。録画データ再生部５３００は、さらに、録画データ再生画像と録画データに対応付けられた情報データを表示する画像とを切り替える機能を有する。
【０２８９】
ネットワークコントローラ５２２０は、アンテナ２２０と接続される。ネットワークコントローラ５２２０は、アンテナ２２０を利用して、基地局３０２との間でデータ通信を行なう機能を有する。
【０２９０】
録画データ処理部５４００は、受信した放送番組データに基づいて、放送番組データに関連する情報データ（時刻データ等）を取得・処理する。また、録画データ処理部５４００は、受信した放送番組データに対応するエンコードデータ（録画データ）に対応づけて、記憶部５３００に情報データ（時刻データ等）を記憶させる。
【０２９１】
Ｉ／Ｏコントローラ５６１０には、無線通信部５６２０が接続される。
無線通信部５６２０は、赤外線技術またはＢｌｕｅｔｏｏｔｈ技術等を利用した無線技術を利用して、他の装置とデータの授受を行なう無線通信機能を有する。
【０２９２】
記録媒体アクセス部５７００は、データの読み出しおよび書込みが可能な記録媒体５７５０にアクセスする機能を有する。
【０２９３】
記録媒体５７５０は、ＣＦカード、ＳＭ（Smart Media（登録商標））、ＭＭＣ、ＳＤメモリーカード、ｍｉｎｉＳＤメモリーカード、メモリースティック（登録商標）、ｘＤピクチャーカード、その他不揮発性メモリのいずれであってもよい。また、記録媒体５７５０は、外部接続する事で利用可能になる記録媒体であってもよい。
【０２９４】
入力部５８００は、携帯端末５０００の外部に設けられる複数のボタンのいずれかが押下された場合、押下されたボタンに対応する信号を、録画データ処理部５４００および再生時処理部５５００へ送信する。これにより、録画データ処理部５４００および再生時処理部５５００は、ボタンが押下されたことを検知することができる。
【０２９５】
図１８は、本実施の形態における録画データ処理部５４００および再生時処理部５５００の各々の内部の機能ブロックを示した図である。図１８を参照して、録画データ処理部５４００は、図４の録画データ処理部１４００と同様な構成を有するので詳細な説明は繰り返さない。再生時処理部５５００は、図４の再生時処理部１５００と同様な構成を有するので詳細な説明は繰り返さない。
【０２９６】
録画データ処理部５４００および再生時処理部５５００各々の内部で行なわれる処理は、第１の実施の形態の図４の説明において、録画データ処理部１４００、再生時処理部１５００、画像データ処理部１１００、時刻管理部１６３０、記憶部１３００、録画装置１０００、携帯端末２００、無線通信部１６２０およびＩ／Ｏコントローラ１６１０を、それぞれ、録画データ処理部５４００、再生時処理部５５００、画像データ処理部５１００、時刻管理部５６３０、記憶部５３００、携帯端末５０００、携帯端末５０００、無線通信部５６２０およびＩ／Ｏコントローラ５６１０に置き換えた説明と同様なので詳細な説明は繰り返さない。なお、録画データ処理部５４００および再生時処理部５５００各々は、図４で説明されている、携帯端末へデータ等を送信する処理等は行なわない。
【０２９７】
次に、携帯端末５０００が行なう録画処理（以下、録画処理Ｍともいう）について説明する。なお、以下の録画処理Ｍは、記憶部５３００に記憶されている予約録画データに基づいて行なわれる。録画データ処理部５４００は、予約録画データに含まれる録画開始時刻の情報に基づいて、録画開始時刻になると、以下の録画処理Ｍを行なう。なお、予約録画データには、後述する番組情報生成フラグが含まれる。以下の録画処理で録画される番組は、前述したＣＭ開始データおよびＣＭ終了データを含むデジタル放送の番組であるとする。
【０２９８】
図１９は、録画処理Ｍのフローチャートである。図１９を参照して、ステップＳ５００では、録画データ処理部５４００が、録画番組情報データを作成するか否かを判定する。具体的には、録画データ処理部５４００が、録画番組情報データを作成するための番組情報生成フラグがオンであるか否かを判定する。番組情報生成フラグがオンであるか否かの情報は、予約録画データに含まれる。番組情報生成フラグがオンである場合は、録画データ処理部５４００が、録画番組情報データを作成する。なお、録画番組情報データを作成するか否かは、ユーザが番組の予約録画時に予め設定する。
【０２９９】
ステップＳ５００において、ＹＥＳならば、ステップＳ５０２に進む。一方、ステップＳ５００において、ＮＯならば、ステップＳ５００Ａに進む。
【０３００】
ステップＳ５００Ａでは、録画データ処理部５４００が、通常の録画処理を行なう。ここで、通常の録画処理とは、録画データ処理部５４００が、録画番組情報データを作成せずに、画像データ処理部５１００に番組を録画させる処理である。ステップＳ５００Ａの処理が終了すると、この録画処理Ｍは終了する。
【０３０１】
ステップＳ５０２では、録画データ処理部５４００が、予約録画データに基づいて、画像データ処理部５１００に、録画処理を開始させる。具体的には、画像データ処理部５１００が、予約録画データに示される、録画開始時刻の情報、録画終了時刻の情報、チャンネル情報に基づいて、当該チャンネル情報に対応する番組の録画を開始する。その後、ステップＳ５０４に進む。
【０３０２】
ステップＳ５０４では、録画データ処理部１４００が、予約録画データに基づいて、録画番組情報データを生成する。この場合、録画番組情報データは、放送日時（日付の情報、録画開始時刻および録画終了時刻の情報）、放送時刻、番組名、チャンネル情報等の情報を含むデータである。なお、予約録画データに、たとえば、番組名の情報がない場合は、録画データ処理部５４００は、放送日時、放送時刻、チャンネル情報等の情報を含む録画番組情報データを生成する。そして、録画データ処理部５４００は、録画番組情報データを記憶部５３００に記憶させる。その後、ステップＳ５０６に進む。
【０３０３】
ステップＳ５０６では、録画データ処理部５４００が、時刻報知部５６５０から受信した時刻データに基づく時刻を使用し、属性として「放送開始」を示す時刻−放送属性対応データ（たとえば、図５の時刻−放送属性対応データ６１０Ｓ）を生成し、記憶部５３００に記憶させる。その後、ステップＳ５０７に進む。
【０３０４】
ステップＳ５０７では、録画データ処理部５４００が、現在の時刻が、録画中の番組の録画終了時刻であるか否かを判定する。具体的には、録画データ処理部５４００が、時刻報知部５６５０から受信した時刻データに基づく現在の時刻が、予約録画データに基づいて取得した録画終了時刻以降であるか否かを判定する。ステップＳ５０７において、ＹＥＳならば、後述するステップＳ５３０に進む。一方、ステップＳ５０７において、ＮＯならば、ステップＳ５１０に進む。
【０３０５】
ステップＳ５１０では、録画データ処理部５４００が、録画中の番組においてＣＭが開始されたか否かを判定する。具体的には、録画データ処理部５４００が、ＣＭ開始データを検知したか否かを判定する。ステップＳ５１０において、ＹＥＳならば、ステップＳ５１２に進む。一方、ステップＳ５１０において、ＮＯならば、ステップＳ５２０に進む。
【０３０６】
ステップＳ５１２では、録画データ処理部５４００が、時刻報知部５６５０から受信した時刻データに基づく時刻を使用し、属性として「ＣＭ開始」を示す時刻−放送属性対応データ（たとえば、図５の時刻−放送属性対応データ６３０ＣＳ）を生成し、記憶部５３００に記憶させる。その後、ステップＳ５１４に進む。
【０３０７】
ステップＳ５１４では、録画データ処理部５４００が、ＣＭが終了したか否かを判定する。具体的には、録画データ処理部５４００が、ＣＭ終了データを検知したか否かを判定する。ステップＳ５１４において、ＹＥＳならば、ステップＳ５１６に進む。一方、ステップＳ５１４において、ＮＯならば、再度、ステップＳ５１４の処理が繰り返される。
【０３０８】
ステップＳ５１６では、録画データ処理部５４００が、時刻報知部５６５０から受信した時刻データに基づく時刻を使用し、属性として「ＣＭ終了」を示す時刻−放送属性対応データ（たとえば、図５の時刻−放送属性対応データ６３０ＣＥ）を生成し、記憶部５３００に記憶させる。その後、再度、ステップＳ５０７の処理が繰り返される。
【０３０９】
前述のステップＳ５１０において、ＮＯならば、ステップＳ５２０に進む。
ステップＳ５２０では、所定時間経過したか否かが判定される。具体的には、録画データ処理部５４００が、前述の時刻データ取得時間間隔（たとえば、１０分）で時刻データを送信する時刻管理部５６３０から、時刻データを受信したか否かを判定する。
【０３１０】
ステップＳ５２０において、ＹＥＳならば、ステップＳ５２２に進む。一方、ステップＳ５２０において、ＮＯならば、再度、ステップＳ５０７の処理が繰り返される。
【０３１１】
ステップＳ５２２では、録画データ処理部５４００が、時刻管理部５６３０から受信した時刻データに基づく時刻を使用し、属性として「放送中」を示す時刻−放送属性対応データ（たとえば、図５の時刻−放送属性対応データ６２０Ａ）を生成し、記憶部５３００に記憶させる。その後、再度、ステップＳ５０７の処理が繰り返される。
【０３１２】
前述のステップＳ５０７において、ＹＥＳならば、ステップＳ５３０に進む。
ステップＳ５３０では、録画データ処理部５４００が、時刻報知部５６５０から受信した時刻データに基づく時刻を使用し、属性として「放送終了」を示す時刻−放送属性対応データ（たとえば、図５の時刻−放送属性対応データ６１０Ｅ）を生成し、記憶部５３００に記憶させる。以上により、この録画処理Ｍは終了する。
【０３１３】
図２０は、表示部２３０に時刻データから得られる情報、およびサービス接続情報を表示する場合における、再生時処理部５５００の機能ブロックを示した図である。
【０３１４】
図２０を参照して、再生時処理部５５００は、表示画面切替部５５１０、放送属性解析部５５２０、時刻データ解析部５５３０、放送時時刻算出部５５４０、サービス接続情報作成部５５５０、通信部５５６０として動作する。
【０３１５】
表示画面切替部５５１０は、録画データの再生に基づく画像とサービス接続画像とを切り替える。放送属性解析部５５２０は、録画データに紐付けられている放送属性を解析する。放送属性解析部５５２０は、図１８の録画番組情報データ解析部１５４０より取得した放送属性を解析し表示する。
【０３１６】
時刻データ解析部５５３０は、録画データに紐付けられている時刻データを解析する。時刻データ解析部５５３０は、図１８録画番組情報データ解析部１５４０より取得した時刻データを解析し表示する。具体的には、時刻データ解析部５５３０は、後述する図２２（Ｄ）のサービス接続画像Ｇ３００Ａ内の時刻表示画像Ｇ３１４Ａに表示される時刻にサービス接続画像に遷移した場合、その時刻の放送属性を取得し、放送属性表示画像Ｇ３１２Ａ上に表示する。
【０３１７】
放送時時刻算出部５５４０は、現在の録画データの時刻から放送属性を算出する。
サービス接続情報作成部５５５０は、移動体通信網３００と接続し、インターネット網３１０上に存在する各種サービスへ接続する際に必要なサービス接続情報を作成する。サービス接続情報は、放送日時、チャンネル情報、番組名、放送時時刻を含む情報である。具体的には、サービス接続情報作成部５５５０は再生中の録画データが実際に放送されていた時間に存在したリアルタイムサービスを検索し、サービスを享受するために必要な情報を生成し、インターネット網３１０上の実際のサービスにアクセスし、サービスを享受する機能を受ける。
【０３１８】
たとえば、後述する図２２（Ｄ）のサービス接続画像Ｇ３００Ａ内のボタン画像ＢＧ３５４が押下処理されると、インターネット網３１０を介して、録画データに基づく番組においてリアルタイムで提供されていたサービスを、後述する図２２（Ｆ）の画像Ｇ４００のように表示する。ここで、「着信時再生音楽取得」の文字列を選択すると、放送時刻データ、番組データなどをサービスに送るためのメッセージを作成し、番組提供会社４２０が提供するＣＭの着信音楽のダウンロードが可能となる。
【０３１９】
通信部５５６０は、サービス接続情報作成部５５５０で作成されたサービス接続情報を使用して、移動体通信網３００を介して、サービスサイトと接続する機能を有する。
【０３２０】
以上により、図１８および図２０により、録画データ処理部５４００および再生時処理部５５００の機能は説明される。本実施の形態では、再生時処理部５５００を図１８および図２０の２つの図に分けて説明したが、実際には一つの処理部として機能する。もちろん、再生時処理部５５００はこの形態に限らない。図１８の再生時処理部５５００と、図２０の再生時処理部５５００は別処理部として独立に存在してもよい。
【０３２１】
次に、携帯端末５０００が行なう再生処理について説明する。なお、記憶部５３００には、録画番組情報データリストが記憶されているとする。録画番組情報データリストは、録画処理Ｍにより、記憶部５３００に記憶された複数の録画番組情報データから構成される。前述したように、録画番組情報データは、放送日時（日付の情報、録画開始時刻および録画終了時刻の情報）、放送時刻、番組名、チャンネル情報等の情報を含むデータである。なお、以下においては、ユーザ１０による、選択ボタン２０２および決定ボタン２０３の操作をボタン操作Ｍともいう。
【０３２２】
図２１は、再生処理のフローチャートである。図２１を参照して、ステップＳ６００では、再生時処理部５５００が、記憶部５３００から、録画番組情報データリストを読み出す。録画番組情報データリストは、たとえば、図７の録画番組情報データリスト８００であるとする。その後、ステップＳ６１０に進む。
【０３２３】
ステップＳ６１０では、再生時処理部５５００が、録画番組情報データリストに基づいて、録画番組情報データリストの主要情報を表示した、以下の録画番組リスト表示画像Ｇ１００を生成し、表示部２３０に表示させる。
【０３２４】
図２２は、携帯端末５０００の表示部２３０に表示される画像を示す図である。図２２（Ａ）は、一例としての録画番組リスト表示画像Ｇ１００を示す図である。背景が黒で、文字が白の部分は、ユーザ１０による選択ボタン２０２の操作により選択されている番組情報を示す。
【０３２５】
再び、図２１を参照して、ステップＳ６１０の処理が終了すると、ステップＳ６１２に進む。
【０３２６】
ステップＳ６１２では、再生時処理部５５００が、再生番組選択決定操作があるか否かを判定する。再生番組選択決定操作とは、表示部２３０に録画番組リスト表示画像Ｇ１００が表示されており、番組情報が選択されている状態で、ユーザ１０が決定ボタン２０３を押下する操作である。ステップＳ６１２において、ＹＥＳならば、ステップＳ６１４に進む。一方、ステップＳ６１２において、ＮＯならば、再度、ステップＳ６１２の処理が行なわれる。
【０３２７】
ステップＳ６１４では、番組再生処理が行なわれる。番組再生処理では、再生時処理部５５００が、再生番組選択決定操作により選択された番組情報に対応する録画データを、記憶部５３００から読み出す。そして、当該読み出した録画データを、画像データ処理部５１００へ送信する。画像データ処理部５１００は、受信した録画データをデコードし、デコードしたデータの画像を表示した画像を生成し、生成した画像を表示部２３０に表示させる。すなわち、録画データの再生が行なわれる。番組再生処理により表示部２３０に表示されている画像は、以下の録画データ再生画像Ｇ２００である。
【０３２８】
再び、図２２を参照して、図２２（ｂ）は、録画データ再生画像Ｇ２００を示す図である。録画データ再生画像Ｇ２００には、再生画像Ｇ２１０と、ボタン画像ＢＧ２５０とが配置される。再生画像Ｇ２１０は、画像データ処理部５１００のデコード処理により再生されている動画像である。ボタン画像ＢＧ２５０は、ボタン操作Ｍにより押下処理されることで、表示部２３０に表示されている画像の表示状態変更するためのボタン画像である。
【０３２９】
再び、図２１を参照して、ステップＳ６１４の処理の後、ステップＳ６１６に進む。
ステップＳ６１６では、再生時処理部５５００が、時刻データ更新処理を実行する。時刻データ更新処理は、他の処理とは独立して行なわれる処理である。なお、ステップＳ６１６では、既に時刻データ更新処理が実行されている場合は、時刻データ更新処理の実行は行なわれない。
【０３３０】
時刻データ更新処理では、まず、ステップＳ６８０の処理が行なわれる。
ステップＳ６８０では、時刻データの更新が開始される。具体的には、再生時処理部５５００が、再生中の録画データの開始時刻の情報を含む時刻−放送属性対応データを記憶部５３００から読み出す。この場合、時刻−放送属性対応データは、たとえば、図５の時刻−放送属性対応データ６１０Ｓである。そして、再生時処理部５５００は、時刻−放送属性対応データを読み出した時点から経過時間を計算し、経過時間を計算する毎に、読み出した時刻−放送属性対応データに含まれる時刻データを更新する。
【０３３１】
たとえば、時刻データが「２０：００：００」を示すデータである場合、再生時処理部５５００は、時刻データを含む時刻−放送属性対応データを読み出した時点から、たとえば、１秒毎に、時刻データ（２０：００：００）も１秒ずつカウントアップさせる。当該カウントアップされている時刻が、前述の放送時時刻である。その後、ステップＳ６８２に進む。
【０３３２】
ステップＳ６８２では、再生時処理部５５００が、再生中の録画データのうち、現在再生しているポイントに対応づけられている時刻−放送属性対応データがあるか否かを判定する。ステップＳ６８２において、ＹＥＳならば、ステップＳ６８４に進む。一方、ステップＳ６８２において、ＮＯならば、後述するステップＳ６８８に進む。
【０３３３】
ステップＳ６８４では、時刻データの更新が行なわれる。具体的には、再生時処理部５５００が、再生中の録画データの時刻の情報を含む、最新の時刻−放送属性対応データが検出された時点から時点から経過時間を計算し、経過時間を計算する毎に、読み出した最新の時刻−放送属性対応データに含まれる時刻データを更新する。すなわち、ステップＳ６８４の処理が行なわれる毎に、携帯端末５０００で算出している放送時時刻に、わずかな誤差が生じても、誤差が修正されることになる。そして、再生時処理部５５００は、ステップＳ６８２で検出された時刻−放送属性対応データを記憶部５３００から読み出す。そして、その後、ステップＳ６８８に進む。
【０３３４】
ステップＳ６８８では、再生中の録画データが、最後まで再生されたか否かが判定される。具体的には、再生時処理部５５００が、現在、再生中の録画データを最後まで再生したか否かを判定する。ステップＳ６８８において、ＹＥＳならば、この時刻データ更新処理は終了する。一方、ステップＳ６８８において、ＮＯならば、再度、ステップＳ６８２の処理が行われる。
【０３３５】
再生処理では、ステップＳ６１６の処理の後、ステップＳ６１８に進む。
ステップＳ６１８では、再生時処理部５５００が、表示状態変更操作があるか否かを判定する。表示状態変更操作は、ボタン画像ＢＧ２５０を押下処理するためのボタン操作Ｍである。ステップＳ６１８において、ＹＥＳならば、ステップＳ６２０に進む。ステップＳ６１８において、ＮＯならば、ステップＳ６２１に進む。
【０３３６】
ステップＳ６２０では、サービス接続画像表示処理が行なわれる。サービス接続画像表示処理では、まず、再生時処理部５５００が、画像データ処理部５１００による録画データの再生を一時停止させる。また、同時に、並列して実行されている時刻データ更新処理において行なわれている時刻データの更新を停止させる。
【０３３７】
そして、再生時処理部５５００が、並列して実行されている時刻データ更新処理において読み出されている最新の時刻−放送属性対応データを使用して、サービス接続画像を生成し、生成したサービス接続画像を表示部２３０に表示させる。
【０３３８】
再び、図２２を参照して、図２２（Ｃ）は、一例としてのサービス接続画像Ｇ３００を示す図である。サービス接続画像Ｇ３００は、画像を生成するのに使用された時刻−放送属性対応データが、放送属性として「放送開始」を示すデータである場合に生成される画像である。サービス接続画像Ｇ３００には、放送属性表示画像Ｇ３１２と、時刻表示画像Ｇ３１４とが配置される。放送属性表示画像Ｇ３１２は、時刻−放送属性対応データに対応する放送属性を表示する画像である。放送属性表示画像Ｇ３１２は、放送属性として「放送開始」を表示する。時刻表示画像Ｇ３１４は、並列して実行されている時刻データ更新処理のステップ６８４の処理で更新されている時刻データが示す時刻を表示する画像である。
【０３３９】
再生時状態画像９１０には、さらに、ボタン画像ＢＧ３５２，ＢＧ３５４が配置される。ボタン画像ＢＧ３５２は、ボタン操作Ｍにより押下処理されることで、表示部２３０に表示されている画像を、録画データ再生画像Ｇ２００に変更するためのボタン画像である。ボタン画像ＢＧ３５４は、ボタン操作Ｍにより押下処理されることで、後述するサービスに接続するためのボタン画像である。
【０３４０】
図２２（Ｄ）は、一例としてのサービス接続画像Ｇ３００Ａを示す図である。サービス接続画像Ｇ３００Ａは、画像を生成するのに使用された時刻−放送属性対応データが、放送属性として「放送中」を示すデータである場合に生成される画像である。サービス接続画像Ｇ３００Ａは、サービス接続画像Ｇ３００と比較して、放送属性表示画像Ｇ３１２の代わりに放送属性表示画像Ｇ３１２Ａが配置される点と、時刻表示画像Ｇ３１４の代わりに時刻表示画像Ｇ３１４Ａが配置される点とが異なる。それ以外は、サービス接続画像Ｇ３００と同様なので詳細な説明は繰り返さない。
【０３４１】
放送属性表示画像Ｇ３１２Ａには、放送属性として放送中であることを示す「放送中」を表示する。時刻表示画像Ｇ３１４Ａは、並列して実行されている時刻データ更新処理のステップ６８４の処理で更新されている時刻データが示す時刻を表示する画像である。
【０３４２】
図２２（Ｅ）は、一例としてのサービス接続画像Ｇ３００Ｂを示す図である。サービス接続画像Ｇ３００Ｂは、画像を生成するのに使用された時刻−放送属性対応データが、放送属性として「ＣＭ中」を示すデータである場合に生成される画像である。サービス接続画像Ｇ３００Ｂは、サービス接続画像Ｇ３００と比較して、放送属性表示画像Ｇ３１２の代わりに放送属性表示画像Ｇ３１２Ｂが配置される点と、時刻表示画像Ｇ３１４の代わりに時刻表示画像Ｇ３１４Ｂが配置される点とが異なる。それ以外は、サービス接続画像Ｇ３００と同様なので詳細な説明は繰り返さない。
【０３４３】
放送属性表示画像Ｇ３１２Ｂには、放送属性として「ＣＭ中」を表示する。時刻表示画像Ｇ３１４Ｂは、並列して実行されている時刻データ更新処理のステップ６８４の処理で更新されている時刻データが示す時刻を表示する画像である。
【０３４４】
再び、図２１を参照して、ステップＳ６２０の処理の後、ステップＳ６２１に進む。
ステップＳ６２１では、再生時処理部５５００が、録画データ再生操作があるか否かを判定する。録画データ再生操作は、ボタン画像ＢＧ３５２を押下処理するためのボタン操作Ｍである。ステップＳ６２１において、ＹＥＳならば、再度、ステップＳ６１４に進む。ステップＳ６２１において、ＮＯならば、ステップＳ６２２に進む。
【０３４５】
ステップＳ６２１において、ＹＥＳと判定されステップＳ６１４に進んだ場合、ステップＳ６１４では、以下の処理が行なわれる。
【０３４６】
ステップＳ６１４では、再生が一時停止されている録画データにおいて、一時停止されている部分から再生を再開する。また、同時に、並列して実行されている時刻データ更新処理において行なわれている時刻データの更新の停止を解除し、時刻データの更新処理を再開させる。上記処理により、表示部２３０には、録画データ再生画像Ｇ２００が表示される。なお、ステップＳ６２１の処理が終了し、ステップＳ６１４の処理の後、ステップＳ６１６に進んだ場合、既に、時刻データ更新処理が実行されているので、時刻データ更新処理の実行は行なわれず、ステップＳ６１８に進む。
【０３４７】
ステップＳ６２２では、再生時処理部５５００が、サービス接続操作があるか否かを判定する。サービス接続操作は、ボタン画像ＢＧ３５４を押下処理するためのボタン操作Ｍである。ステップＳ６２２において、ＹＥＳならば、ステップＳ６３０に進む。ステップＳ６２２において、ＮＯならば、後述するステップＳ６４０に進む。
【０３４８】
ステップＳ６３０では、サービス接続処理Ａが行なわれる。
図２３は、サービス接続処理Ａのフローチャートである。図２３を参照して、ステップＳ６３１では、再生時処理部５５００が、受信した時刻−放送属性対応データに基づいて、図２０で説明したように、サービス接続情報を生成する。前述したようにサービス接続情報は、放送日時、チャンネル情報、番組名、放送時時刻を含む情報である。また、前述したように放送時時刻は、再生時処理部５５００が、時刻データ更新処理のステップＳ６８４の処理により生成（更新）する時刻である。その後、ステップＳ６３２に進む。
【０３４９】
ステップＳ６３２では、再生時処理部５５００が、ネットワークコントローラ５２２０およびアンテナ２２０を利用して、サービス接続情報を、移動体通信網３００、インターネット網３１０を介して、前述した番組連携リアルタイムサービスサイトのＵＲＬへ送信する。番組連携リアルタイムサービスサイトは、たとえば、音楽提供会社４３０が提供するものとする。番組連携リアルタイムサービスサイトへサービス接続情報を送信すると、携帯端末５０００は、番組連携リアルタイムサービスサイトに接続でき、番組連携リアルタイムサービスサイトが提供している番組連携リアルタイムサービスを享受できるようになる。その後、ステップＳ６３３に進む。
【０３５０】
ステップＳ６３３では、再生時処理部５５００が、ネットワークコントローラ５２２０およびアンテナ２２０を利用して、番組連携リアルタイムサービスサイトが提供する番組連携リアルタイムサービスを享受するためのデータを受信する。携帯端末５０００の表示部２３０には、受信したデータに基づいた画像が表示される。
【０３５１】
番組連携リアルタイムサービスの一例としては、ＣＭ放送時にＣＭテーマ曲に対応した着信時再生音楽データをリアルタイムで提供するサービスである。ここで、着信時再生音楽データは、前述したように携帯端末５０００において、データの着信を報知するためのデータである。
【０３５２】
この場合、送信するサービス接続情報に、放送属性としての「ＣＭ中」のデータを含めることで、番組連携リアルタイムサービスサイトは、リアルタイムの時刻に放送されていたＣＭを認識する。そして、番組連携リアルタイムサービスサイトは、当該認識したＣＭに対応した着信時再生音楽データを検索して、読み出す。これにより、携帯端末５０００は、必要に応じて着信時再生音楽データをダウンロードすることができる。
【０３５３】
再び、図２２を参照して、図２２（Ｆ）は、番組連携リアルタイムサービスサイトの接続時に、表示部２３０に表示される、一例としての画像Ｇ４００である。
【０３５４】
画像Ｇ４００には、一例として、着信時再生音楽データを取得するためのサイト、番組が提供する商品プレゼントへの応募サイト、番組で放送された音楽データを購入するサイトへのリンクのボタンが表示されている。なお、画像Ｇ４００に表示されている各サイトへのボタンは、本放送時以降でもサービスを享受可能なサイトに接続するためのボタンである。
【０３５５】
再び、図２３を参照して、ステップＳ６３３の処理の後、ステップＳ６３４に進む。
ステップＳ６３４では、ユーザ１０が、表示部２３０に表示された複数の接続可能なサービスサイトから、希望のサービスサイトを選択し、選択したサービスサイトに接続する。
【０３５６】
ユーザ１０は、携帯端末５０００のボタン操作Ｍを行なうことで、サービスサイトに接続する。これにより、サービスサイトのサービスを享受できる。その後、ステップＳ６３５に進む。
【０３５７】
ステップＳ６３５では、接続終了指示があるか否かが判定される。具体的には、再生時処理部５５００が、サービスサイトへの接続を終了するためのボタン操作Ｍがあったか否かを判定する。
【０３５８】
ステップＳ６３５において、ＹＥＳならば、再生時処理部５５００は、表示部２３０に画像Ｇ４００が表示される前に表示されていた画像を、表示部１００に表示させる。そして、このサービス接続処理Ａは終了し、図２１の処理に戻り、ステップＳ６３０の次のステップＳ６４０に進む。一方、ステップＳ６３５において、ＮＯならば、再度、ステップＳ６３５の処理が行なわれる。
【０３５９】
以上説明したように、再生処理およびサービス接続処理Ａが行なわれることにより、第１の実施の形態のサービス接続処理が行なわれることにより得られる効果と同じ効果を得ることができる。すなわち、放送終了後のリアルタイムではない時間帯に録画データを視聴中でも、放送時に提供していた番組連携リアルタイムサービスを容易に享受することができるという効果を奏する。
【０３６０】
再び、図２１を参照して、ステップＳ６３０の処理の後、ステップＳ６４０に進む。
ステップＳ６４０では、再生時処理部５５００が、並列して実行されている時刻データ更新処理において読み出されている最新の時刻−放送属性対応データに、放送属性として「放送終了」を示す情報が含まれているか否かを判定する。ステップＳ６４０において、ＹＥＳならば、この再生処理は終了する。一方、ステップＳ６４０において、ＮＯならば、再度、ステップＳ６１８の処理が行なわれる。
【０３６１】
図２４は、本実施の形態における、録画データを再生する際のシーケンス図を示す。図２４を参照して、左から右方向に向かって時刻座標Ｔ１が設定されている。時刻座標Ｔ１は携帯端末における時間座標を表す。録画データ７００ＲＤは、図６と同様なので詳細な説明は繰り返さない。
【０３６２】
録画データ７００ＲＤの再生時時刻と、時刻座標Ｔ１上の時刻とは上下の位置で対応している。たとえば、録画データ７００ＲＤの再生時、録画データ７００ＲＤに対応付けられている時刻−放送属性対応データ６１０Ｓの時刻と、時刻座標Ｔ１上の時刻ｔ１とが同一時刻であることを示す。
【０３６３】
また、携帯端末５０００は、時刻−放送属性対応データ６１０Ｓを、時刻座標Ｔ１上の時刻ｔ１で検出する事を表す。点線矢印Ｄ１，Ｄ２，Ｄ３，Ｄ４は携帯端末５０００が時刻−放送属性対応データを検出した時刻を表す。
【０３６４】
携帯端末５０００において、時刻ｔ１において、録画データ７００ＲＤの再生が実行されると、携帯端末５０００は、時刻−放送属性対応データ６１０Ｓを検出する（点線矢印Ｄ１）。録画データ７００ＲＤの再生が継続され時刻ｔ２になると、携帯端末５０００は、時刻−放送属性対応データ６２０Ａを検出する（点線矢印Ｄ２）。携帯端末５０００は、時刻−放送属性対応データ６２０Ａを検出すると、携帯端末５０００で作成している放送時時刻を、時刻−放送属性対応データ６２０Ａに含まれる時刻に置き換える。そして、携帯端末５０００は、時刻−放送属性対応データ６２０Ａに含まれる時刻に基づいて、放送時時刻を作成する。
【０３６５】
なお、時間区間ＤＴ１の間、携帯端末５０００の表示部２３０には、サービス接続画像Ｇ３００Ａが表示される。放送時時刻を表示する時刻表示画像Ｇ３１４Ａは、時間経過に合わせて逐次表示が更新される。
【０３６６】
時刻ｔ３では、携帯端末５０００が、時刻−放送属性対応データ６３０ＣＳを検出する（点線矢印Ｄ３）。このとき、携帯端末５０００の表示部２３０に表示される画像は、内部に配置される放送属性を示す画像が、「放送中」から「ＣＭ中」に変更された画像となる。
【０３６７】
時刻−放送属性対応データの送受信処理は、再生視聴中の録画データについて早送りや巻き戻しをする場合でも考えられる。ユーザ１０は再生時、任意の時刻で「早送り」を実行する。停止するために「再生」を実行した場合、携帯端末５０００は、「再生」を実行した時刻の時刻−放送属性対応データを作成する。
【０３６８】
具体的には、携帯端末５０００は、時刻−放送属性対応データ６１０Ｓと、時間区間ＤＴ２の経過時刻とに基づいて、時刻ｔ４の時刻データを算出し、時刻−放送属性対応データを生成する。なお、当該時刻−放送属性対応データには、放送属性を示すデータは含まれない。
【０３６９】
そして、時刻ｔ４において、携帯端末５０００は、前述の処理により生成された時刻−放送属性対応データに基づいて表示部２３０に画像を表示させる（点線矢印Ｄ４）。このとき、携帯端末５０００の表示部２３０に表示される画像は、サービス接続画像Ｇ３００Ｃとなる。なお、サービス接続画像Ｇ３００Ｃは、放送属性が含まれない時刻−放送属性対応データに基づいて生成された画像であるため、放送属性は、表示されない。
【０３７０】
なお、早送り等の機器の操作後に放送属性を認識する手法として、携帯端末５０００が、放送属性の区間を別途記録しておいてもよい。たとえば、携帯端末５０００が時間区間ＤＴ３の放送属性を「放送中」と記録しているとすると、携帯端末５０００は、時刻ｔ４の放送属性を「放送中」と認識できる。そして、当該認識した属性に基づいて、時刻−放送属性対応データを生成すれば、任意の時刻での放送属性の判定が可能となる。
【０３７１】
以上説明したように、本実施の形態では、携帯端末５０００上で、受信した放送から録画データ、および属性情報、放送時時刻情報を取得し、録画データの再生時に合わせて記録された放送時時刻情報からリアルタイムの放送時に提供されていたサービスに簡単に接続し、リアルタイムサービスを享受するシステムが実現可能である。
【０３７２】
したがって、実施の形態によれば、番組の放送終了時でも、番組の進行に関連して提供するサービスを容易に享受できる。すなわち、放送時に提供されていたサービスを、放送終了後でも容易に享受できるという効果を奏する。
【０３７３】
＜第２の実施の形態の変形例＞
図２５は、本実施の形態における仮想的リアルタイムサービス享受システム３００００を示す。図２５を参照して、仮想的リアルタイムサービス享受システム３００００は、図１５の仮想的リアルタイムサービス享受システム２００００と比較して、コンテンツサービス提供網４００の代わりにコンテンツサービス提供網４００Ａを含む点と、携帯端末５０００の代わりに携帯端末５０００Ａが使用される点が異なる。それ以外は、仮想的リアルタイムサービス享受システム２００００と同様なので詳細な説明は繰り返さない。
【０３７４】
コンテンツサービス提供網４００Ａは、コンテンツサービス提供網４００と比較して、テレビ局４１０の代わりに放送提供会社４１０Ａを含む点が異なる。それ以外は、コンテンツサービス提供網４００と同様なので詳細な説明は繰り返さない。
【０３７５】
本実施の形態では、放送提供会社４１０Ａが、電波ではなく、インターネット網３１０および移動体通信網３００を介して、携帯端末５０００Ａへコンテンツを配信する場合を考える。具体的にはストリーミング配信によるコンテンツの配信や、サーバー型放送によるコンテンツの配信が考えられる。
【０３７６】
携帯端末５０００Ａは、放送提供会社より提供される放送コンテンツをインターネット網３１０および移動体通信網３００を経由して取得し、表示する機能を有する。携帯端末５０００Ａは、アンテナ２２０を利用して、放送提供会社４１０Ａから送信された放送番組データを受信し、当該放送番組データに、時刻管理部により得られた時刻データを対応付けて、記憶部に記録する機能を有する。
【０３７７】
なお、携帯端末５０００Ａは、携帯端末５０００が有する、前述した録画機能およびその他の機能等の全ての機能も同様に有する。携帯端末５０００Ａは、たとえば、携帯電話、無線アクセス装置付きの個人情報端末（ＰＤＡ）、デスクトップパソコンおよびノートパソコン等のように、ネットワークに接続可能な機器であればいずれであってもよい。本実施の形態では、携帯端末５０００Ａを、一例として、携帯電話として説明する。
【０３７８】
図２６は、本実施の形態における携帯端末５０００Ａの内部構成を示したブロック図である。図２６を参照して、携帯端末５０００Ａは、図１７の携帯端末５０００と比較して、ネットワークコントローラ５２２０と、ＭＰＥＧエンコーダ５１３０Ｅとが接続される点とが異なる。それ以外は、携帯端末５０００と同様なので詳細な説明は繰り返さない。
【０３７９】
ネットワークコントローラ５２２０は、アンテナ２２０を利用して、放送提供会社４１０Ａから、インターネット網３１０および移動体通信網３００を介して、放送番組データを受信する。そして、ネットワークコントローラ５２２０は、受信した放送番組データをＭＰＥＧエンコーダ５１３０Ｅへ送信する。
【０３８０】
放送番組データには、前述したＣＭ開始データおよびＣＭ終了データが含まれ場合もある。なお、ネットワークコントローラ５２２０は、放送番組データ以外のデータは、録画データ処理部５４００および再生時処理部５５００へ送信する。すなわち、ネットワークコントローラ５２２０は、放送コンテンツに関わるデータのみを、ＭＰＥＧエンコーダ５１３０Ｅへ送信する。なお、ネットワークコントローラ５２２０は、ＭＰＥＧ形式でエンコード済みの放送番組データを受信した場合は、記憶部５３００に記憶させる。
【０３８１】
ＭＰＥＧエンコーダ５１３０Ｅは、受信した放送番組データに基づく動画像をＭＰＥＧ形式でエンコードする。以下においては、ＭＰＥＧエンコーダ５１３０Ｅによりエンコードされた映像信号をエンコードデータ（録画データ）とも称する。
【０３８２】
エンコードデータは、バスＩ／Ｆ５１４０、バス５６００を介して、記憶部５３００に記憶される。以下においては、画像データ処理部５１００が、受信した放送番組データをエンコードして、記録部５３００に記録させる処理を録画処理とも称する。
【０３８３】
なお、ＭＰＥＧエンコーダ５１３０Ｅは、ＣＭ開始データ、ＣＭ終了データが含まれる放送番組データを受信した場合、ＣＭ開始データ、ＣＭ終了データを、バスＩ／Ｆ５１４０、バス５６００を介して、録画データ処理部５４００へ送る。したがって、録画データ処理部５４００は、録画処理中に、ＣＭ開始データおよびＣＭ終了データを検知することができる。
【０３８４】
以上の構成の携帯端末５０００Ａにより、第２の実施の形態で説明した処理が行なわれることで、本実施の形態においても、第２の実施の形態と同様な効果を得ることができる。すなわち、インターネット網より放送を提供するシステムに対しても、録画データを再生し実行する際にリアルタイムに提供されていたサービスへ接続し、サービスを享受することが可能になる。
【０３８５】
したがって、番組の放送終了時でも、番組の進行に関連して提供するサービスを容易に享受できる。すなわち、放送時に提供されていたサービスを、放送終了後でも容易に享受できるという効果を奏する。
【０３８６】
＜第３の実施の形態＞
図２７は、本実施の形態における仮想的リアルタイムサービス享受システム４００００を示す。図２７を参照して、仮想的リアルタイムサービス享受システム４００００は、図１の仮想的リアルタイムサービス享受システム１００００と比較して、ホームネットワークシステム２０００の代わりにホームネットワークシステム２０００Ａを含む点が異なる。それ以外は、仮想的リアルタイムサービス享受システム１００００と同様なので詳細な説明は繰り返さない。
【０３８７】
ホームネットワークシステム２０００Ａは、ホームネットワークシステム２０００と比較して、移動体通信網３００の代わりにリモコン２０と、録画装置１０００の代わりに録画装置１０００Ａが含まれる点とが異なる。それ以外は、ホームネットワークシステム２０００と同様なので詳細な説明は繰り返さない。
【０３８８】
録画装置１０００Ａは、録画装置１０００と同様なものなので詳細な説明は繰り返さない。また、録画装置１０００Ａは、録画装置１０００と同様な機能を有するので詳細な説明は繰り返さない。ユーザ１０は、リモコン２０を利用して、録画装置１０００Ａを操作できる。
【０３８９】
図２８は、本実施の形態における録画装置１０００Ａの内部構成を示したブロック図である。図２８を参照して、録画装置１０００Ａは、図２の録画装置１０００と比較して、ネットワーク部１２００の代わりにネットワーク部１２００Ａを備える点と、再生時処理部１５００が表示部１００と接続されている点とが異なる。それ以外は、ネットワーク部１２００と同様なので詳細な説明は繰り返さない。
【０３９０】
ネットワーク部１２００Ａは、ネットワーク部１２００と比較して、アンテナ１２４０をさらに含む点が異なる。それ以外は、ネットワーク部１２００と同様なので詳細な説明は繰り返さない。
【０３９１】
ネットワークコントローラ１２２０は、アンテナ１２４０と接続される。ネットワークコントローラ１２２０は、アンテナ１２４０を利用して、基地局３０２との間でデータ通信を行なう機能を有する。
【０３９２】
また、再生時処理部１５００は、画像を生成し、表示部１００に表示させる処理も行なう。
【０３９３】
録画装置１０００Ａが行なう録画処理は、第１の実施の形態で説明した録画装置１０００が行なう録画処理と同様なので詳細な説明は繰り返さない。
【０３９４】
次に、録画装置１０００Ａが行なう録画データを再生する処理（以下、再生処理Ｂともいう）について説明する。なお、記憶部１３００には、録画番組情報データリストが記憶されているとする。録画番組情報データリストは、録画処理により、記憶部１３００に記憶された複数の録画番組情報データから構成される。前述したように、録画番組情報データは、放送日時（日付の情報、録画開始時刻および録画終了時刻の情報）、放送時刻、番組名、チャンネル情報等の情報を含むデータである。なお、以下においては、ユーザ１０による、リモコン２０の操作をリモコン操作Ｒともいう。
【０３９５】
図２９は、再生処理Ｂのフローチャートである。図２９を参照して、ステップＳ７００では、再生時処理部１５００が、記憶部１３００から、録画番組情報データリストを読み出す。録画番組情報データリストは、たとえば、図７の録画番組情報データリスト８００であるとする。その後、ステップＳ７１０に進む。
【０３９６】
ステップＳ７１０では、再生時処理部１５００が、録画番組情報データリストに基づいて、録画番組情報データリストの主要情報を表示した、図２２（Ａ）の録画番組リスト表示画像Ｇ１００を生成し、表示部１００に表示させる。その後、ステップＳ７１２に進む。
【０３９７】
ステップＳ７１２では、再生時処理部１５００が、再生番組選択決定操作があるか否かを判定する。再生番組選択決定操作とは、表示部１００に録画番組リスト表示画像Ｇ１００が表示されている状態で、番組情報を選択決定するためのリモコン操作Ｒである。ステップＳ７１２において、ＹＥＳならば、ステップＳ７１４に進む。一方、ステップＳ７１２において、ＮＯならば、再度、ステップＳ７１２の処理が行なわれる。
【０３９８】
ステップＳ７１４では、番組再生処理が行なわれる。番組再生処理では、再生時処理部１５００が、再生番組選択決定操作により選択された番組情報に対応する録画データを、記憶部１３００から読み出す。そして、当該読み出した録画データを、画像データ処理部１１００へ送信する。画像データ処理部１１００は、受信した録画データをデコードし、デコードしたデータの画像を表示した画像を生成し、生成した画像を、外部出力端子１１１３に接続される表示部１００に表示させる。番組再生処理により表示部１００に表示されている画像は、図２２（Ｂ）の録画データ再生画像Ｇ２００である。その後、ステップＳ７１６に進む。
【０３９９】
ステップＳ７１６では、再生時処理部１５００が、時刻データ更新処理Ｂを実行する。時刻データ更新処理Ｂは、他の処理とは独立して行なわれる処理である。なお、ステップＳ７１６では、既に時刻データ更新処理Ｂが実行されている場合は、時刻データ更新処理Ｂの実行は行なわれない。
【０４００】
時刻データ更新処理Ｂでは、まず、ステップＳ７８０の処理が行なわれる。
ステップＳ７８０では、時刻データの更新が開始される。具体的には、再生時処理部１５００が、再生中の録画データの開始時刻の情報を含む時刻−放送属性対応データを記憶部１３００から読み出す。この場合、時刻−放送属性対応データは、たとえば、図５の時刻−放送属性対応データ６１０Ｓである。そして、再生時処理部１５００は、時刻−放送属性対応データを読み出した時点から経過時間を計算し、経過時間を計算する毎に、読み出した時刻−放送属性対応データに含まれる時刻データを更新する。
【０４０１】
たとえば、時刻データが「２０：００：００」を示すデータである場合、再生時処理部１５００は、時刻データを含む時刻−放送属性対応データを読み出した時点から、たとえば、１秒毎に、時刻データ（２０：００：００）も１秒ずつカウントアップさせる。当該カウントアップされている時刻が、前述の放送時時刻である。その後、ステップＳ７８２に進む。
【０４０２】
ステップＳ７８２では、再生時処理部１５００が、再生中の録画データのうち、現在再生しているポイントに対応づけられている時刻−放送属性対応データがあるか否かを判定する。ステップＳ７８２において、ＹＥＳならば、ステップＳ７８４に進む。一方、ステップＳ７８２において、ＮＯならば、後述するステップＳ７８８に進む。
【０４０３】
ステップＳ７８４では、時刻データの更新が行なわれる。具体的には、再生時処理部１５００が、再生中の録画データの時刻の情報を含む、最新の時刻−放送属性対応データが検出された時点から時点から経過時間を計算し、経過時間を計算する毎に、読み出した最新の時刻−放送属性対応データに含まれる時刻データを更新する。すなわち、ステップＳ７８４の処理が行なわれる毎に、録画装置１０００Ａで算出している放送時時刻に、わずかな誤差が生じても、誤差が修正されることになる。そして、再生時処理部１５００は、ステップＳ７８２で検出された時刻−放送属性対応データを記憶部１３００から読み出す。そして、その後、ステップＳ７８８に進む。
【０４０４】
ステップＳ７８８では、再生中の録画データが、最後まで再生されたか否かが判定される。具体的には、再生時処理部１５００が、現在、再生中の録画データを最後まで再生したか否かを判定する。ステップＳ７８８において、ＹＥＳならば、この時刻データ更新処理Ｂは終了する。一方、ステップＳ７８８において、ＮＯならば、再度、ステップＳ７８２の処理が行われる。
【０４０５】
再生処理Ｂでは、ステップＳ７１６の処理の後、ステップＳ７１８に進む。
ステップＳ７１８では、再生時処理部１５００が、表示状態変更操作があるか否かを判定する。表示状態変更操作は、ボタン画像ＢＧ２５０を押下処理するためのリモコン操作Ｒである。ステップＳ７１８において、ＹＥＳならば、ステップＳ７２０に進む。ステップＳ７１８において、ＮＯならば、ステップＳ７２１に進む。
【０４０６】
ステップＳ７２０では、サービス接続画像表示処理が行なわれる。サービス接続画像表示処理では、まず、再生時処理部１５００が、画像データ処理部１１００による録画データの再生を一時停止させる。また、同時に、並列して実行されている時刻データ更新処理Ｂにおいて行なわれている時刻データの更新を停止させる。
【０４０７】
そして、再生時処理部１５００が、並列して実行されている時刻データ更新処理Ｂにおいて読み出されている最新の時刻−放送属性対応データを使用して、サービス接続画像を生成し、生成したサービス接続画像を表示部２３０に表示させる。サービス接続画像は、図２２のサービス接続画像Ｇ３００、サービス接続画像Ｇ３００Ａ、サービス接続画像Ｇ３００Ｂ等である。その後、ステップＳ７２１に進む。
【０４０８】
ステップＳ７２１では、再生時処理部１５００が、録画データ再生操作があるか否かを判定する。録画データ再生操作は、ボタン画像ＢＧ３５２を押下処理するためのリモコン操作Ｒである。ステップＳ７２１において、ＹＥＳならば、再度、ステップＳ７１４に進む。ステップＳ７２１において、ＮＯならば、ステップＳ７２２に進む。
【０４０９】
ステップＳ７２１において、ＹＥＳと判定されステップＳ７１４に進んだ場合、ステップＳ７１４では、以下の処理が行なわれる。
【０４１０】
ステップＳ７１４では、再生が一時停止されている録画データにおいて、一時停止されている部分から再生を再開する。また、同時に、並列して実行されている時刻データ更新処理Ｂにおいて行なわれている時刻データの更新の停止を解除し、時刻データの更新処理を再開させる。上記処理により、表示部１００には、録画データ再生画像Ｇ２００が表示される。なお、ステップＳ７２１の処理が終了し、ステップＳ７１４の処理の後、ステップＳ７１６に進んだ場合、既に、時刻データ更新処理Ｂが実行されているので、時刻データ更新処理Ｂの実行は行なわれず、ステップＳ７１８に進む。
【０４１１】
ステップＳ７２２では、再生時処理部１５００が、サービス接続操作があるか否かを判定する。サービス接続操作は、ボタン画像ＢＧ３５４を押下処理するためのリモコン操作Ｒである。ステップＳ７２２において、ＹＥＳならば、ステップＳ７３０に進む。ステップＳ７２２において、ＮＯならば、後述するステップＳ７４０に進む。
【０４１２】
ステップＳ７３０では、サービス接続処理Ｂが行なわれる。
図３０は、サービス接続処理Ｂのフローチャートである。図３０を参照して、ステップＳ７３１では、再生時処理部１５００が、受信した時刻−放送属性対応データに基づいて、ステップＳ６３１と同様に、サービス接続情報を生成する。前述したようにサービス接続情報は、放送日時、チャンネル情報、番組名、放送時時刻を含む情報である。また、前述したように放送時時刻は、再生時処理部１５００が、時刻データ更新処理により生成する時刻である。その後、ステップＳ７３２に進む。
【０４１３】
ステップＳ７３２では、再生時処理部１５００が、ネットワークコントローラ１２２０およびアンテナ１２４０を利用して、サービス接続情報を、移動体通信網３００、インターネット網３１０を介して、前述した番組連携リアルタイムサービスサイトのＵＲＬへ送信する。番組連携リアルタイムサービスサイトは、たとえば、音楽提供会社４３０が提供するものとする。番組連携リアルタイムサービスサイトへサービス接続情報を送信すると、録画装置１０００Ａは、番組連携リアルタイムサービスサイトに接続でき、番組連携リアルタイムサービスサイトが提供している番組連携リアルタイムサービスを享受できるようになる。その後、ステップＳ７３３に進む。
【０４１４】
ステップＳ７３３では、再生時処理部１５００が、ネットワークコントローラ１２２０およびアンテナ１２４０を利用して、番組連携リアルタイムサービスサイトが提供する番組連携リアルタイムサービスを享受するためのデータを受信する。録画装置１０００Ａに接続される表示部１００には、受信したデータに基づいた画像が表示される。
【０４１５】
番組連携リアルタイムサービスの一例としては、ＣＭ放送時のＣＭテーマ曲の音楽データをリアルタイムで提供するサービスである。ここで、音楽データは、前述したように録画装置１０００Ａにおいて、再生可能な音楽データである。
【０４１６】
この場合、送信するサービス接続情報に、放送属性としての「ＣＭ中」のデータを含めることで、番組連携リアルタイムサービスサイトは、リアルタイムの時刻に放送されていたＣＭを認識する。そして、番組連携リアルタイムサービスサイトは、当該認識したＣＭに対応した音楽データを検索して、読み出す。これにより、録画装置１０００Ａは、必要に応じて音楽データをダウンロードすることができる。
【０４１７】
番組連携リアルタイムサービスサイトの接続時に、表示部２３０に表示される画像は、一例として、図２２（Ｆ）の画像Ｇ４００である。
【０４１８】
再び、図３０を参照して、ステップＳ７３３の処理の後、ステップＳ７３４に進む。
ステップＳ７３４では、ユーザ１０が、表示部１００に表示された複数の接続可能なサービスサイトから、希望のサービスサイトを選択し、選択したサービスサイトに接続する。
【０４１９】
ユーザ１０は、リモコン操作Ｒを行なうことで、サービスサイトに接続する。これにより、サービスサイトのサービスを享受できる。その後、ステップＳ７３５に進む。
【０４２０】
ステップＳ７３５では、接続終了指示があるか否かが判定される。具体的には、再生時処理部１５００が、サービスサイトへの接続を終了するためのリモコン操作Ｒがあったか否かを判定する。
【０４２１】
ステップＳ７３５において、ＹＥＳならば、再生時処理部１５００は、表示部１００に画像Ｇ４００が表示される前に表示されていた画像を、表示部１００に表示させる。そして、このサービス接続処理Ｂは終了し、図２９の処理に戻り、ステップＳ７３０の次のステップＳ７４０に進む。一方、ステップＳ７３５において、ＮＯならば、再度、ステップＳ７３５の処理が行なわれる。
【０４２２】
以上説明したように、再生処理Ｂおよびサービス接続処理Ｂが行なわれることにより、第１の実施の形態のサービス接続処理が行なわれることにより得られる効果と同じ効果を得ることができる。すなわち、放送終了後のリアルタイムではない時間帯に録画データを視聴中でも、放送時に提供していた番組連携リアルタイムサービスを容易に享受することができるという効果を奏する。
【０４２３】
再び、図２９を参照して、ステップＳ７３０の処理の後、ステップＳ７４０に進む。
ステップＳ７４０では、再生時処理部１５００が、並列して実行されている時刻データ更新処理Ｂにおいて読み出されている最新の時刻−放送属性対応データに、放送属性として「放送終了」を示す情報が含まれているか否かを判定する。ステップＳ７４０において、ＹＥＳならば、この再生処理Ｂは終了する。一方、ステップＳ７４０において、ＮＯならば、再度、ステップＳ７１８の処理が行なわれる。
【０４２４】
以上説明したように、本実施の形態では、録画装置１０００Ａ上で、受信した放送から録画データ、および属性情報、放送時時刻情報を取得し、録画データの再生時に合わせて記録された放送時時刻情報からリアルタイムの放送時に提供されていたサービスに簡単に接続し、リアルタイムサービスを享受するシステムが実現可能である。
【０４２５】
したがって、実施の形態によれば、番組の放送終了時でも、番組の進行に関連して提供するサービスを容易に享受できる。すなわち、放送時に提供されていたサービスを、放送終了後でも容易に享受できるという効果を奏する。
【０４２６】
なお、本発明において処理される放送番組データは、ディジタル放送に基づく、１セグ方式、４セグ方式、１２セグ方式のいずれの方式のデータであってもよい。また、放送番組データは、アナログ放送に基づくデータであってもよい。
【０４２７】
また、本発明においては、携帯端末５０００、携帯端末５０００Ａ、録画装置１０００Ａの各々がネットワークに接続された場合、ネットワーク上から配信される放送を受信することで、前述した録画・再生・サービス接続等が可能になる。
【０４２８】
また、本発明においては、番組連携リアルタイムサービスの利用形態の一例として、テレビ局４１０、番組提供会社４２０および音楽提供会社４３０の各々が、インターネット上で運営しているサイトへ、携帯端末２００、携帯端末５０００、携帯端末５０００Ａ、録画装置１０００Ａの各々が接続して、各種サービスを享受する方法を記載した。
【０４２９】
しかし、番組連携リアルタイムサービスの利用形態は、これに限定されることはない。番組連携リアルタイムサービスの利用形態の一例としては、ユーザ１０が、たとえば、表示部１００または表示部２３０で、テレビ放送を閲覧中に、Ｗｅｂコミュニケーションツールを利用して、番組の様子や感想を伝え合うような放送時チャットサービスの利用が想定される。
【０４３０】
この場合、ユーザ１０が、放送後に、録画データを見ながら上記チャットサービスに接続した場合、利用者はチャットのログを見ることは可能である。しかし、まだ、ユーザ１０が、録画データで見ていない部分の内容に言及したログを見てしまう可能性もある。このように、ユーザ１０が、録画データで見ていない部分のログを目にすると、番組の内容の予測が可能となり楽しみが半減してしまう。
【０４３１】
しかしながら、本発明で説明した、携帯端末２００、携帯端末５０００、携帯端末５０００Ａおよび録画装置１０００Ａの各々は、放送時時刻を常に認識している。したがって、携帯端末２００、携帯端末５０００、携帯端末５０００Ａおよび録画装置１０００Ａの各々は、サービス接続時、チャットの全ログを取得後、端末内で認識している放送時時刻を参照しながら、現在再生中の場面までチャットログを表示するといった制限をすることが可能になる。その結果、ユーザ１０は、本放送時に行われていたチャットサービスの閲覧を不満なく利用可能になるという効果を奏する。
【０４３２】
本発明では、携帯端末２００、携帯端末５０００、携帯端末５０００Ａおよび録画装置１０００Ａの各々が、時刻−放送属性対応データを取得した後、各種サービスを享受するための接続先は、インターネット網３１０を挙げている。しかしながら、当該接続先は、携帯端末等であってもよい。すなわち、複数の携帯端末間で、データの授受を行なってもよい。
【０４３３】
たとえば、２台の携帯端末がある場合（２台の携帯端末を、それぞれ、携帯端末Ａ、Ｂとも称する）、携帯端末Ａは放送時時刻を認識し、携帯端末Ｂは、放送時時刻を携帯端末Ａから取得する。これにより、別々の場所にいる二人のユーザが、放送時時刻という同一の情報を共有できる。また、複数の録画装置により、録画装置同士の連携などが行なわれてもよい。
【０４３４】
また、本発明では、録画装置１０００、携帯端末５０００、携帯端末５０００Ａおよび録画装置１０００Ａの各々が、録画番組情報データ、時刻−放送属性対応データを生成しているが、録画番組情報データ、時刻−放送属性対応データは、録画装置１０００、携帯端末５０００、携帯端末５０００Ａおよび録画装置１０００Ａの各々が生成しなくてもよい。
【０４３５】
この場合、たとえば、放送局が配信している放送番組データに、録画番組情報データ、時刻−放送属性対応データ等のデータが含まれていれば、録画装置１０００、携帯端末５０００、携帯端末５０００Ａおよび録画装置１０００Ａの各々は、当該含まれている録画番組情報データ、時刻−放送属性対応データを、録画データに対応付ければよい。
【０４３６】
また、録画装置１０００、携帯端末５０００、携帯端末５０００Ａおよび録画装置１０００Ａの各々は、録画データに対応する録画番組情報データ、時刻−放送属性対応データ等のデータをインターネット網等から取得し、当該録画データに対応づけてもよい。
【０４３７】
具体的には、録画装置１０００、携帯端末５０００、携帯端末５０００Ａおよび録画装置１０００Ａの各々は、録画番組情報データ、時刻−放送属性対応データ等の作成を行なわず、録画処理を行なう。その後、録画済みのデータに対応する録画番組情報データ、時刻−放送属性対応データ等をインターネット網等から取得し、当該録画データに対応づけるという処理を行なう。
【０４３８】
また、本発明では、録画装置１０００と、携帯端末２００との間で、時刻の同期を取るための媒体として録画データを用いた。しかしながら、時刻の同期を取るための媒体は、録画データに限定されるものではない。
【０４３９】
たとえば、録画データの代わりに、放送局が提供する再放送番組のデータである場合でも、再放送データに付与されるメタデータを用いれば、本発明において適用可能である。
【０４４０】
たとえば、再放送データに、本放送時の時刻データが含まれているとする。この場合、携帯端末２００、携帯端末５０００、携帯端末５０００Ａおよび録画装置１０００Ａの各々は、放送局、もしくは家庭内のテレビ機器より、本放送時の時刻を取得し、再放送されている番組が実際に放送されていた時刻を認識し、本放送された過去の時刻を仮想的に再現することが可能になる。
【０４４１】
この場合、サービスの提供側は、たとえば、該当する音楽番組のデータをアーカイブ化して保存しており、要求された日時、チャンネル情報から該当する過去の放送データを配信するシステムを備えているとする。
【０４４２】
これにより、録画装置１０００、携帯端末５０００、携帯端末５０００Ａおよび録画装置１０００Ａの各々は、たとえば、音楽番組で過去の秘蔵ＶＴＲが放送される際に、該当するＶＴＲが本放送された時刻を認識し、携帯端末に時刻データを送信する。携帯端末は認識した再放送の本放送時時刻から前述の各種サービスに接続し、当時放送された本編の放送データを取得することが出来る。
【０４４３】
また、本発明では、録画装置と、携帯端末とが時刻情報を共有するシステム、複数の携帯端末間で時刻情報を共有するシステムおよび複数の録画装置間で時刻情報を共有するシステムを例として記載した。しかしながら、前述のシステムで扱う端末は録画装置および携帯端末に限定されるものではない。
【０４４４】
本発明は、たとえば、通信部と表示部(再生部)および操作手段をもつ端末Ｍと、録画機能および通信機能をもつ端末Ｎとが連携するシステムでも可能である。
【０４４５】
以下に、端末Ｍを、たとえば、テレビとし、端末Ｎを、たとえば、ビデオカメラとしたシステムについて説明する。
【０４４６】
テレビとビデオカメラはお互いに接続先として認識している。ビデオカメラで撮影された動画データをテレビで再生している環境を考える。テレビで動画データを視聴中、お気に入りのシーンの場所でユーザが、テレビに設けられている操作手段としてのボタンを押すと、動画データが保有する時刻情報がビデオカメラに送信される。
【０４４７】
これにより、時刻情報を受信したビデオカメラは、時刻情報に相当する動画データの部分を再生することができる。また、時刻情報を受信したビデオカメラは、ボタンが押された時刻よりも多少の時刻をさかのぼった時点を探し出し、当該さかのぼった時点から再生することもできる。
【０４４８】
また、ビデオカメラが印刷機と接続可能な場合、ボタンを押したシーンを静止画として取得し、写真として出力することも可能である。
【０４４９】
本発明は、家庭内、もしくは携帯端末で録画した過去に放送された番組の時刻データを元に、仮想的リアルタイム視聴環境を構築できるシステムである。ただし、本発明では、仮想的リアルタイム視聴環境を構築する際に使用される情報は、時刻データに限定されない。携帯端末が取得する位置情報を利用することも可能である。視聴した場所の情報を、録画した番組データと共に保有することで、たとえば、旅行先で録画したその地方限定のローカル放送を録画し、旅行先から戻った後に視聴した場合、時刻データと地方の位置情報を、サービスを提供するサーバ等へ送信することで、ローカル放送限定のサービスを、そのサービスを受けられない地方からでも利用することができる。
【０４５０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０４５１】
【図１】本実施の形態における仮想的リアルタイムサービス享受システムを示す。
【図２】録画装置の内部構成を示したブロック図である。
【図３】携帯端末の外観図である。
【図４】録画データ処理部および再生時処理部の各々の内部の機能ブロックを示した図である。
【図５】一例としての時刻−放送属性対応データテーブルを示す図である。
【図６】一例としての録画データと、時刻−放送属性対応データテーブルにおける複数の時刻−放送属性対応データとの対応関係を示す図である。
【図７】一例としての録画番組情報データリストを示す図である。
【図８】携帯端末の内部の機能ブロックを示した図である。
【図９】録画処理のフローチャートである。
【図１０】携帯端末と、録画装置との連携処理を示すフローチャートである。
【図１１】携帯端末の表示部に表示される画像を示す図である。
【図１２】サービス接続処理のフローチャートである。
【図１３】本実施の形態における録画装置と携帯端末の連携時の状態を示す図である。
【図１４】録画装置と携帯端末とが時刻−放送属性対応データを送受信する際のシーケンス図を示す。
【図１５】本実施の形態における仮想的リアルタイムサービス享受システム２００００を示す。
【図１６】本実施の形態における携帯端末の外観図である。
【図１７】本実施の形態における携帯端末の内部構成を示したブロック図である。
【図１８】本実施の形態における録画データ処理部および再生時処理部の各々の内部の機能ブロックを示した図である。
【図１９】録画処理Ｍのフローチャートである。
【図２０】表示部に時刻データから得られる情報、およびサービス接続情報を表示する場合における、再生時処理部の機能ブロックを示した図である。
【図２１】再生処理のフローチャートである。
【図２２】携帯端末の表示部に表示される画像を示す図である。
【図２３】サービス接続処理Ａのフローチャートである。
【図２４】本実施の形態における、録画データを再生する際のシーケンス図を示す。
【図２５】本実施の形態における仮想的リアルタイムサービス享受システムを示す。
【図２６】本実施の形態における携帯端末の内部構成を示したブロック図である。
【図２７】本実施の形態における仮想的リアルタイムサービス享受システム４００００を示す。
【図２８】本実施の形態における録画装置の内部構成を示したブロック図である。
【図２９】再生処理Ｂのフローチャートである。
【図３０】サービス接続処理Ｂのフローチャートである。
【符号の説明】
【０４５２】
２０  リモコン、１００  表示部、２００，５０００，５０００Ａ  携帯端末、３００  移動体通信網、３１０  インターネット網、４００，４００Ａ  コンテンツサービス提供網、１０００，１０００Ａ  録画装置、１１００，５１００  画像データ処理部、１３００，５３００  記憶部、１４００，５４００  録画データ処理部、１５００，５５００  再生時処理部、１６３０  時刻管理部、５３００  録画データ再生部、２０００，２０００Ａ  ホームネットワークシステム、１００００，２００００，３００００，４００００  仮想的リアルタイムサービス享受システム。
【図１】
2006345495.tif 000003
【図２】
2006345495.tif 000004
【図３】
2006345495.tif 000005
【図４】
2006345495.tif 000006
【図５】
2006345495.tif 000007
【図６】
2006345495.tif 000008
【図７】
2006345495.tif 000009
【図８】
2006345495.tif 000010
【図９】
2006345495.tif 000011
【図１０】
2006345495.tif 000012
【図１１】
2006345495.tif 000013
【図１２】
2006345495.tif 000014
【図１３】
2006345495.tif 000015
【図１４】
2006345495.tif 000016
【図１５】
2006345495.tif 000017
【図１６】
2006345495.tif 000018
【図１７】
2006345495.tif 000019
【図１８】
2006345495.tif 000020
【図１９】
2006345495.tif 000021
【図２０】
2006345495.tif 000022
【図２１】
2006345495.tif 000023
【図２２】
2006345495.tif 000024
【図２３】
2006345495.tif 000025
【図２４】
2006345495.tif 000026
【図２５】
2006345495.tif 000027
【図２６】
2006345495.tif 000028
【図２７】
2006345495.tif 000029
【図２８】
2006345495.tif 000030
【図２９】
2006345495.tif 000031
【図３０】
2006345495.tif 000032